(57)【要約】【課題】スケジュールされた未来に発生するイベントによって混雑が生じ得るエリア及び時間を考慮した移動計画によって、移動体を使用した円滑な移動を実現する。【解決手段】未来に発生する１つ以上のイベントがスケジュールされたスケジュール情報と、前記イベントに関連付けられた場所に関する情報と、に基づいて、前記場所の周辺において混雑が生じ得るエリア及び時間を推定し、前記エリア及び時間の推定結果に基づいた情報であって、前記スケジュール情報に基づいて移動体を使用して移動する際の移動計画に関する情報を、前記移動体において提示する。【選択図】図１３
2019144168.tif 000002
【特許請求の範囲】
【請求項１】
未来に発生する１つ以上のイベントがスケジュールされたスケジュール情報と、前記イベントに関連付けられた場所に関する情報と、に基づいて、前記場所の周辺において混雑が生じ得るエリア及び時間を推定し、
前記エリア及び時間の推定結果に基づいた情報であって、前記スケジュール情報に基づいて移動体を使用して移動する際の移動計画に関する情報を、前記移動体において提示する、ナビゲーション方法。
【請求項２】
前記移動計画に関する情報は、前記移動体が現在位置から目的地に向かって移動を開始すべき時刻を示す情報を含み、
前記移動を開始すべき時刻を示す情報の生成は、
前記移動体の現在位置を検出し、かつ、前記目的地を示す情報の入力を受け付け、
前記イベントに関連付けられた場所が含まれるマップ情報において、前記現在位置から前記目的地に至る経路を探索し、
探索した前記経路と、推定した前記混雑の生じ得るエリアと、が重なる場合に、推定した前記混雑の生じ得る時間に基づいて、前記移動を開始すべき時刻を示す情報を計算することを含む、
請求項１に記載のナビゲーション方法。
【請求項３】
前記移動を開始すべき時刻を示す情報の計算は、
前記経路と前記混雑の生じ得るエリアとが重ならない場合に前記移動体が前記イベントの発生時刻までに前記経路を移動して前記場所へ到達できる、前記現在位置からの移動開始時刻を、推定した前記混雑が生じ得る時間に応じてシフトした時刻に変更することを含む、
請求項２に記載のナビゲーション方法。
【請求項４】
前記移動を開始すべき時刻を示す情報の計算は、
前記移動体の速度に関する情報、及び、前記移動体のサイズに関する情報の少なくとも一方又は双方に基づいて行われる、請求項２又は３に記載のナビゲーション方法。
【請求項５】
前記移動を開始すべき時刻を示す情報は、前記スケジュール情報及び／又は前記場所の変更に応じて、再計算される、
請求項２〜４のいずれか１項に記載のナビゲーション方法。
【請求項６】
前記移動計画に関する情報には、前記経路の周辺に位置する施設に関する情報が含まれる、
請求項２〜５のいずれか１に記載のナビゲーション方法。
【請求項７】
前記施設に関する情報には、前記施設に関する広告及び特典の少なくとも一方又は双方に関する情報が含まれる、あるいは関連付けられている、
請求項６に記載のナビゲーション方法。
【請求項８】
前記経路の周辺に位置する施設に関する情報は、現在時刻から前記移動を開始すべき時刻までの残り時間が所定時間以上である場合に、前記移動体の表示部に表示される、請求項５又は６に記載のナビゲーション方法。
【請求項９】
前記スケジュール情報は、空港において発生する前記イベントであるフライトがスケジュールされたフライト情報であり、前記場所は、前記フライトに関連付けられた搭乗ゲートである、
請求項１から８のいずれか１項に記載のナビゲーション方法。
【請求項１０】
前記混雑が生じ得るエリア及び時間の推定は、前記フライトの予約人数、及び、前記フライトのチェックインが完了した人数の少なくとも一方又は双方に基づいて行われる、
請求項９に記載のナビゲーション方法。
【請求項１１】
前記移動体は、前記空港内の移動に使用される電動車両である、
請求項９又は１０に記載のナビゲーション方法。
【請求項１２】
移動体と、
前記移動体と通信するサーバと、を備え、
前記サーバは、
未来に発生する１つ以上のイベントがスケジュールされたスケジュール情報と、前記イベントに関連付けられた場所に関する情報と、に基づいて、前記場所の周辺において混雑が生じ得るエリア及び時間を推定する推定部と、
前記推定部による推定結果を前記移動体に送信する送信部と、を備え、
前記移動体は、
前記推定結果を受信する受信部と、
前記推定結果に基づいた情報であって、前記スケジュール情報に基づいて移動体を使用して移動する際の移動計画に関する情報を表示する表示部と、
を備えた、ナビゲーションシステム。
【請求項１３】
前記移動体の現在位置を検出する検出部と、
前記移動体の目的地を示す情報が入力される入力部と、
前記イベントに関連付けられた場所が含まれるマップ情報を記憶する記憶部と、
前記記憶部の前記マップ情報において、前記移動体の現在位置から前記目的地に至る経路を探索する経路探索部と、
前記経路探索部によって探索された前記経路と、前記推定結果における前記混雑の生じ得るエリアと、が重なる場合に、前記推定結果における前記混雑の生じ得る時間に基づいて、前記移動体が前記経路を前記現在位置から前記目的地に向かって移動を開始すべき時刻を示す情報を計算する計算部と、
を備え、
前記移動計画に関する情報は、
前記計算部によって計算された、移動を開始すべき時刻を示す情報を含む、
請求項１２に記載のナビゲーションシステム。
【請求項１４】
移動体であって、
未来に発生する１つ以上のイベントがスケジュールされたスケジュール情報と、前記イベントに関連付けられた場所に関する情報と、に基づいて、前記場所の周辺において混雑が生じ得るエリア及び時間が推定された結果を受信する受信部と、
前記エリア及び時間の推定結果に基づいた情報であって、前記スケジュール情報に基づいて移動体を使用して移動する際の移動計画に関する情報を表示する表示部と、
を備えた、移動体。
【請求項１５】
プロセッサに、
未来に発生する１つ以上のイベントがスケジュールされたスケジュール情報と、前記イベントに関連付けられた場所に関する情報と、に基づいて、前記場所の周辺において混雑が生じ得るエリア及び時間が推定された結果を受信し、
前記エリア及び時間の推定結果に基づいた情報であって、前記スケジュール情報に基づいて移動体を使用して移動する際の移動計画に関する情報を表示部に表示する、
処理を実行させる、ナビゲーションプログラム。
【発明の詳細な説明】
【技術分野】
【０００１】
本開示は、ナビゲーション方法、ナビゲーションシステム、移動体、及び、ナビゲーションプログラムに関する。
【背景技術】
【０００２】
自動車のような移動体が目的地へ移動する際の経路を探索して案内するカーナビゲーション技術がある。例えば、或るカーナビゲーション技術では、道路ネットワークデータにおいて、事故が発生しやすい特定の地点またはルートを回避した目的地までの経路を探索する。また、回避した経路が探索されなかった場合は、道路ネットワークデータにおいて、特定の地点またはルートの経由を制限した経路が探索される。
【先行技術文献】
【特許文献】
【０００３】
【特許文献１】特許第４５２１０３６号公報
【発明の概要】
【発明が解決しようとする課題】
【０００４】
しかしながら、上述したカーナビゲーション技術は、自動車が目的地へ移動する経路を道路ネットワークデータにおいて探索するに過ぎない。道路ネットワークは、目的地に至る経路の選択肢が本来的に豊富である、別言すると、経路選択の自由度が高いと云える。そのため、カーナビゲーション技術においては、特定の地点またはルートを回避できる経路を如何にして上手く探索するかが重要視される。
【０００５】
本開示の非限定的な実施例は、スケジュールされた未来に発生するイベントによって混雑が生じ得るエリア及び時間を考慮した移動計画によって、移動体を使用した円滑な移動を実現できる技術の提供に資する。
【課題を解決するための手段】
【０００６】
本開示の一態様に係るナビゲーション方法は、未来に発生する１つ以上のイベントがスケジュールされたスケジュール情報と、前記イベントに関連付けられた場所に関する情報と、に基づいて、前記場所の周辺において混雑が生じ得るエリア及び時間を推定し、前記エリア及び時間の推定結果に基づいた情報であって、前記スケジュール情報に基づいて移動体を使用して移動する際の移動計画に関する情報を、前記移動体において提示する。
【０００７】
また、本開示の一態様に係るナビゲーションシステムは、移動体と、前記移動体と通信するサーバと、を備える。前記サーバは、未来に発生する１つ以上のイベントがスケジュールされたスケジュール情報と、前記イベントに関連付けられた場所に関する情報と、に基づいて、前記場所の周辺において混雑が生じ得るエリア及び時間を推定する推定部と、前記推定部による推定結果を前記移動体に送信する送信部と、を備える。前記移動体は、前記推定結果を受信する受信部と、前記推定結果に基づいた情報であって、前記スケジュール情報に基づいて移動体を使用して移動する際の移動計画に関する情報を表示する表示部と、を備える。
【０００８】
また、本開示の一態様に係る移動体は、未来に発生する１つ以上のイベントがスケジュールされたスケジュール情報と、前記イベントに関連付けられた場所に関する情報と、に基づいて、前記場所の周辺において混雑が生じ得るエリア及び時間が推定された結果を受信する受信部と、前記エリア及び時間の推定結果に基づいた情報であって、前記スケジュール情報に基づいて移動体を使用して移動する際の移動計画に関する情報を表示する表示部と、を備える。
【０００９】
また、本開示の一態様に係るナビゲーションプログラムは、プロセッサに、未来に発生する１つ以上のイベントがスケジュールされたスケジュール情報と、前記イベントに関連付けられた場所に関する情報と、に基づいて、前記場所の周辺において混雑が生じ得るエリア及び時間が推定された結果を受信し、前記エリア及び時間の推定結果に基づいた情報であって、前記スケジュール情報に基づいて移動体を使用して移動する際の移動計画に関する情報を表示部に表示する、処理を実行させる。
【００１０】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１１】
本開示の一態様によれば、スケジュールされた未来に発生するイベントによって混雑が生じ得るエリア及び時間を考慮した移動計画によって、移動体を使用した移動を案内できる。
【００１２】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１３】
【図１】一実施形態に係る空港施設の一例である旅客ターミナル内のフロアマップ例を模式的に示す平面図
【図２】一実施形態に係るナビゲーションシステムの構成例を示す図
【図３】一実施形態に係るモビリティの機能的な構成の一例を示すブロック図
【図４】一実施形態に係るモビリティのハードウェア構成の一例を示すブロック図
【図５】一実施形態に係る管理サーバの機能的な構成の一例を示すブロック図
【図６】一実施形態に係る管理サーバにおいて記憶及び管理されるフライト情報の一例を示す図
【図７】一実施形態に係る管理サーバにおいて記憶及び管理されるフライト予約情報の一例を示す図
【図８】一実施形態に係る管理サーバにおいて記憶及び管理されるモビリティ属性情報の一例を示す図
【図９】一実施形態に係る管理サーバにおいて記憶及び管理されるエリア／施設関連情報の一例を示す図
【図１０】一実施形態に係る空港施設におけるエリア区分の一例を示す図
【図１１】一実施形態に係る管理サーバのハードウェア構成の一例を示すブロック図
【図１２】一実施形態に係るモビリティの動作の一例を示すフローチャート
【図１３】一実施形態に係るモビリティの現在位置からの出発時刻の「前倒し補正」の一例を示すグラフ
【図１４】一実施形態に係る管理サーバの動作の一例を示すフローチャート
【図１５】一実施形態に係るモビリティの動作例に関するオプション１（空港内施設の情報提示）の一例を示すフローチャート
【図１６】一実施形態に係るモビリティの動作例に関するオプション２（課金関連処理）の一例を示すフローチャート
【図１７】一実施形態に係る管理サーバの動作例に関するオプション１（課金関連処理）の一例を示すフローチャート
【図１８】一実施形態に係るモビリティの動作例に関するオプション３（時刻補正に用いる速度設定処理）の一例を示すフローチャート
【図１９】一実施形態に係るモビリティの動作例に関するオプション４（アラート処理）の一例を示すフローチャート
【図２０】一実施形態に係る管理サーバの動作例に関するオプション２（アラート処理）の一例を示すフローチャート
【図２１】一実施形態に係るモビリティの表示部における表示態様の一例を示す図
【図２２】一実施形態に係るモビリティの表示部における表示態様の他の一例を示す図
【発明を実施するための形態】
【００１４】
以下、図面を適宜参照して、本発明の実施の形態について、詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１５】
なお、添付図面および以下の説明は、当業者が本開示を十分に理解するために、提供されるのであって、これらにより特許請求の範囲に記載の主題を限定することは意図されていない。
【００１６】
＜概要＞
本実施の形態では、空港等の施設の利用者（ユーザ）に、ナビゲーションサービスを提供するシステム（以下「ナビゲーションシステム」と称することがある）について説明する。
【００１７】
例えば、一実施形態に係るナビゲーションシステムは、空港のユーザが移動体（例えば、モビリティ）を使用して旅客ターミナルを移動するケースにおいて、モビリティを利用した移動の円滑化に資するナビゲーションサービスをユーザに提供する。「旅客ターミナル」は、「国際線ターミナル」及び「国内線ターミナル」のいずれであってもよい。
【００１８】
「ナビゲーション」サービスは、モビリティを使用した未来の移動の計画（プラン）に関する情報をモビリティに提示するサービスの一例と捉えてもよい。このようなナビゲーションサービスを「モビリティナビ」と略称することがある。
【００１９】
「モビリティ」の非限定的な一例は、電動車椅子である。電動車椅子を利用するユーザの非限定的な一例は、身障者あるいは高齢者である。健常者に比べて移動能力が低い身障者及び高齢者といった空港利用者は、「passengers with reduced mobility（ＰＲＭ）」と称されることがある。
【００２０】
例えば、ナビゲーションシステムは、ＰＲＭが旅客ターミナル内の移動に使用する電動車椅子を、ＰＲＭが指定する目的地へ案内又は誘導するサービスを提供する。旅客ターミナル内の目的地の非限定的な一例としては、搭乗ゲート、ラウンジ、レストラン、カフェ、トイレ、又は、お土産店等の店舗が挙げられる。
【００２１】
「モビリティ」は、電動車椅子に限られない。例えば、小型の電動車両（例えば、電動立ち乗り二輪車、電動カート、電動台車、又は、電動ベビーカートなど）が、モビリティに該当してもよい。別言すると、空港施設において利用が想定される移動体であれば、「モビリティ」に該当してよい。また、「モビリティ」を使用して移動するユーザ（以下、「モビリティユーザ」と略称することがある）は、ＰＲＭに限られない。健常者がモビリティユーザであってもよい。
【００２２】
モビリティは、例えば、その位置を認識して一定のエリア内を自律的に移動する自動運転モードを有する。自動運転モードが有効でない状態において、モビリティは、マニュアル操作モードにて、ユーザのマニュアル操作に従って移動（別言すると「運転」）が制御されてよい。
【００２３】
例えば、モビリティが自動運転モードによって自律移動している場合に、ユーザによるマニュアル操作入力が検知された場合、モビリティは、自動運転モードを解除し、マニュアル操作に基づいた移動制御を行ってよい。
【００２４】
モビリティの移動は、例えば、モビリティに搭載の操作部を通じて制御されてもよいし、モビリティユーザが所持する携帯電話（スマートフォンを含む）等の情報端末を通じて制御されてもよい。サーバコンピュータ（以下「サーバ」と略称する）からモビリティの移動が遠隔制御されてもよい。
【００２５】
なお、情報端末は、ユーザ機器（user equipment，ＵＥ）と称されてもよい。ＵＥは、携帯電話に限られず、タブレット端末、ラップトップコンピュータ、ＰＤＡ（personal digital assistance）、デジタル音楽プレイヤー、又は、電子書籍端末等であってもよい。
【００２６】
モビリティには、例えば、周囲の障害物等をセンシングするセンサが搭載されてよい。例えば、モビリティは、センサのセンシング結果に基づいて移動が制御されることで、自動で衝突を回避でき、また、自動で移動を停止できる。障害物には、物体と、人等の生体と、の一方又は双方が含まれてよい。なお、「センシング」は、例えば、「検出」、「検知」、又は、「測位」といった他の用語に読み替えられてもよい。
【００２７】
モビリティは、空港が所有し、所定の貸し出し手続によって、ユーザに貸し出されてもよいし、ユーザ個人の所有するモビリティであってもよい。空港所有のモビリティは、ユーザの利用終了に応じて、例えば、所定の回収（又は待機）位置へ自律的に移動する機能又はモードを有してもよい。このような機能又はモードは、「自動回収機能」又は「自動回収モード」と称されてよい。「自動回収機能」によって、例えば、空港スタッフの業務負担を軽減できる。
【００２８】
目的地等の情報のモビリティに対する入力は、モビリティユーザによるマニュアル入力でもよいし、情報の読み取りによる入力でもよい。例えば、ＵＥで読み取られた情報が、通信によってモビリティに入力されてよい。
【００２９】
例えば、搭乗チケットに記載されたバーコード、あるいはＱＲ（quick response）コード（登録商標）のような二次元コードをＵＥで読み取ることで、搭乗ゲートの情報を目的地としてモビリティに入力できる。旅客ターミナル内に設置された、フライト情報を表示するデジタルサイネージから、例えば搭乗ゲートの情報をＵＥで読み取って、モビリティに入力してもよい。
【００３０】
また、旅客ターミナル内に設置された、フロアマップ等のマップ情報及び／又は施設情報を表示するデジタルサイネージから、搭乗ゲート、ラウンジ、レストラン、カフェ、又は、店舗といった目的地の情報をＵＥで読み取って、モビリティに入力してもよい。
【００３１】
また、例えば、モビリティユーザのパスポート情報と、空港側システム（例えば、サーバ）が管理する情報（例えば、モビリティユーザの搭乗予定便の情報等）と、を連携させることで、モビリティユーザの搭乗予定便及び搭乗ゲートの情報が特定可能になる。
【００３２】
そのため、例えば、出国審査においてモビリティユーザが提示したパスポート情報を基に、モビリティユーザの搭乗ゲートの情報が、目的地の情報として空港側システムとモビリティとの通信によってモビリティに入力されてもよい。
【００３３】
モビリティユーザが、例えば、空港側システムの提供するアプリケーションを利用して航空便（フライト）を予約している場合には、その予約情報を基に特定される搭乗ゲートの情報が、目的地の情報として空港側システムからモビリティに入力されてもよい。
【００３４】
なお、「フライト情報」は、例えば、フライトの時刻（出発時刻、及び／又は、到着時刻）がスケジュールされた情報であり、「フライトスケジュール」と称されることもある。出発に関するフライト情報には、例えば、便名、行先、出発時刻、及び、搭乗ゲート等の情報が含まれてよい。
【００３５】
＜空港施設の一例＞
図１は、一実施形態に係る空港施設の一例である旅客ターミナル内のフロアマップ例を模式的に示す平面図である。図１には、非限定的な一例として、国際線ターミナルにおける出発ゲートフロアのマップが示されている。
【００３６】
図１において、Ｇ１０１〜Ｇ１１７のそれぞれは、搭乗ゲート（「出発ゲート」と称されてもよい）を表す。搭乗客は、例えば、搭乗手続（チェックイン）エリアにおいてチェックインした後、保安検査（セキュリティチェック）エリアにおいて保安検査を受ける。
【００３７】
保安検査をパスした搭乗客は、例えば、出国審査（例えば、パスポート審査）及び税関検査エリアに進み、出国審査及び税関検査を受ける。出国審査及び税関検査をパスした搭乗客は、搭乗予定のフライトが待機する搭乗ゲートＧ１０１〜１１７の何れかへ通路に沿って移動する。
【００３８】
モビリティは、例えば、出国審査及び税関検査をパスした搭乗客によって利用が開始されてよい。搭乗客がモビリティを利用したまま、例えば、保安検査を受けることが許容される場合には、保安検査エリア（例えば、セキュリティゲート）よりも前のエリアから、モビリティの利用が開始されてもよい。
【００３９】
図１において、ゲートＧ１０１〜１１７の何れかに通じる通路の幅方向両サイドの一方又は双方には、ハッチングを付して示すように、例えば、ラウンジ、レストラン、カフェ、トイレ、又は、店舗といった施設が適宜に配置される。通路には、例えば、休憩用の椅子その他の設備（以下「設置物」と称することがある）が配置されてもよい。通路への設備配置によって、通路幅に広狭が生じ得る。
【００４０】
ここで、例えば、現在時刻が搭乗ゲートＧ１０９から出発するフライトの出発時刻に近づくにつれて、当該フライトに搭乗予定の搭乗客が、搭乗ゲートＧ１０９の周辺エリアに多く集まると、搭乗ゲートＧ１０９の周辺エリアの混雑度が高まる。
【００４１】
図１において、搭乗ゲートＧ１０９の周辺エリアの通路には設置物が存在しているため、通路幅が狭小化している。そのため、例えば、搭乗ゲートＧ１０６へ移動するＰＲＭのモビリティが、搭乗ゲートＧ１０９の周辺エリアの混雑（以下「混雑エリア」と称することがある）に巻き込まれた場合、徒歩移動する搭乗客に比べて、混雑を通り抜けるのに時間がかかる可能性がある。
【００４２】
例えば、モビリティのサイズ（例えば、幅）によっては、モビリティが混雑エリアを通り抜けるのに多くの時間がかかるか、あるいは、混雑が解消するまで混雑エリアをモビリティでは通り抜けられないことがある。そのため、モビリティユーザが、搭乗ゲートＧ１０６から搭乗予定のフライトの出発時刻に間に合わなくなる可能性がある。
【００４３】
そこで、本実施形態では、例えば、フライト情報と、フライトに関連付けられた場所（例えば、搭乗ゲート）に関する情報と、を基に、空港の搭乗ゲート周辺に生じ得る未来の混雑及び時間帯を推定する。また、その推定結果を用いたナビゲーションサービスをモビリティユーザに提供する。
【００４４】
「推定」は、「予測」又は「推測」に読み替えられてもよい。「旅客ターミナル」は、空港施設において、歩行者が徒歩で移動でき、また、モビリティユーザがモビリティを使用して移動できるエリアの一例である。
【００４５】
「フライト情報」は、空港施設において未来に発生するイベント（例えば、フライト）がスケジュールされたスケジュール情報の一例である。「搭乗ゲート」は、空港内施設の一例であって、スケジュールされたイベント（フライト）に関連付けられた「場所」の一例である。イベントに関連付けられた「場所」は、混雑度に関してイベントによる影響を受ける場所の一例であり、便宜的に、「イベント影響エリア」又は「フライト影響エリア」と称されてもよい。
【００４６】
ナビゲーションサービスには、例えば、搭乗ゲート周辺に生じ得る未来の混雑及び時間帯の推定結果、及び／又は、推定結果に基づく情報を、モビリティユーザに提示することが含まれてよい。
【００４７】
また、ナビゲーションサービスには、推定結果に基づいて、モビリティユーザが現在位置から混雑を避けて搭乗ゲートへ到着可能な、経路の探索、及び／又は、経路の移動に伴う時間に関する情報（時刻又は期間）の算出が含まれてよい。また、ナビゲーションサービスには、例えば、探索した経路、及び／又は、算出した時間に関する情報をモビリティユーザに提示することが含まれてよい。
【００４８】
情報をモビリティユーザに「提示」することは、例えば、モビリティユーザが視認する表示部（ディスプレイ）に情報を表示することであってよい。ディスプレイは、モビリティのディスプレイでもよいし、モビリティユーザが所持するＵＥのディスプレイでもよい。モビリティにプリンタが備えられている場合、プリンタによって情報を印刷することが、情報の「提示」に該当してもよい。
【００４９】
また、ナビゲーションサービスには、探索した経路の周辺に位置する空港内施設（例えば、ラウンジ、レストラン、カフェ、トイレ、又は、小売店舗等）に関する情報をモビリティユーザに提示することが含まれてもよい。
【００５０】
空港内施設に関する情報には、例えば、空港内施設の広告情報、及び／又は、空港内施設の利用者に対する特典情報が含まれてもよいし関連付けられてもよい。特典情報とは、例えば、クーポン券又は割引券といった、空港内施設の利用者に付与される特典に関する情報である。広告情報及び特典情報は、例えば、「施設への来訪を誘引する情報」と総称されてもよい。
【００５１】
＜システム構成例＞
以下、上述したようなナビゲーションサービス（モビリティナビ）を提供するナビゲーションシステムの一例について説明する。なお、以下の説明において、旅客ターミナルは、空港施設の一例であり、旅客ターミナル内に配置された、搭乗ゲート、ラウンジ、レストラン、カフェ、トイレ、又は、お土産店等の店舗は、空港内施設の一例である。
【００５２】
図２は、一実施形態に係るナビゲーションシステムの構成例を示す図である。図２に示すナビゲーションシステム１は、例えば、管理サーバ１１と、１台以上のモビリティ（Ｍ）１３と、を備える。モビリティ１３のそれぞれは、例えば、無線通信機能を有し、管理サーバ１１と通信することが可能である。
【００５３】
モビリティ１３のそれぞれと、管理サーバ１１と、の間の通信は、例示的に、アクセスポイント（ＡＰ）１５を介して行われてよい。また、モビリティ１３のそれぞれと、管理サーバ１１と、の間の通信は、例示的に、インターネット及び／又はローカルエリアネットワーク（ＬＡＮ）等を含むネットワーク（ＮＷ）１７を介して行われてよい。
【００５４】
図２においては、ネットワーク１７に、管理サーバ１１と、１台以上のＡＰ１５と、が、例えば有線ケーブルによって接続された例が示されている。有線ケーブルには、ＬＡＮケーブルが用いられてもよいし、光ファイバケーブルが用いられてもよい。
【００５５】
モビリティ１３のそれぞれは、例えば、何れかのＡＰ１５に無線接続することによってネットワーク１７経由で管理サーバ１１と通信する。ＡＰ１５は、例えば、ＩＥＥＥ８０２．１１のような無線ＬＡＮ関連規格に準拠した通信を行うＡＰであってもよいし、ＬＴＥ、ＬＴＥ−ａｄｖａｎｃｅｄ、又は、次世代（例えば、５Ｇ）以降の移動通信規格に準拠した通信を行う基地局であってもよい。
【００５６】
モビリティ１３は、ＡＰ１５が形成する無線サービスエリア内に位置する場合に、ＡＰ１５と無線接続して無線通信することが可能である。
【００５７】
モビリティ１３のそれぞれと、管理サーバ１１と、の間の通信は、双方向（bi-directional）の通信であってよい。モビリティ１３及びＡＰ１５は、例えば、旅客ターミナル内に備えられる。管理サーバ１１は、例えば、旅客ターミナル内に備えられてもよいし、旅客ターミナル外に備えられてもよい。管理サーバ１１は、既述の空港側システムのエレメントの一例である。
【００５８】
なお、図２に示すように、ナビゲーションシステム１には、決済サーバ１９が備えられてもよい。決済サーバ１９は、例えば、レストラン、カフェ、又はお土産店といった空港内施設に関する広告情報及び／又は特典情報が、モビリティ１３のナビゲーションサービスにおいて、モビリティユーザに提示された場合の課金（又は決済）処理を行う。
【００５９】
なお、図２において、管理サーバ１１と決済サーバ１９とは個別に図示されているが、双方の機能が１つのサーバに集約されてもよい。また、管理サーバ１１及び決済サーバ１９の一方又は双方は、ナビゲーションシステム１において複数台備えられてもよい。複数の管理サーバ１１によって管理処理が分散して行われてよい。同様に、複数の決済サーバ１９によって決済処理が分散して行われてよい。また、管理処理及び決済処理の一方又は双方は、管理サーバ１１及び決済サーバ１９の区別無しに、複数のサーバによって分散処理によって実現されてもよい。
【００６０】
以下、モビリティ１３、及び、管理サーバ１１の構成例について、項目別に説明する。
【００６１】
＜モビリティの構成例＞
図３は、一実施形態に係るモビリティ１３の機能的な構成の一例を示すブロック図であり、図４は、一実施形態に係るモビリティ１３のハードウェア構成の一例を示すブロック図である。
【００６２】
（モビリティの機能構成例）
図３に示すように、モビリティ１３は、例示的に、操作部１３１、入力部１３２、表示部（ディスプレイ）１３３、通信部１３４、センサ１３５、記憶部１３６、駆動ユニット１３７、バッテリ１３８、及び、制御部１３９を備えてよい。
【００６３】
操作部１３１は、例えば、モビリティユーザによって操作され、その操作に応じた信号（以下「操作信号」と略称することがある）を制御部１３９に入力する。例えば、前進、後進、方向転換、及び、移動速度の増減の少なくとも１つをモビリティに指示するためのユーザ操作に応じた操作信号が制御部１３９に入力されてよい。操作信号に応じた駆動制御信号が、例えば制御部１３９から駆動ユニット１３７に与えられることで、ユーザ操作に応じてモビリティ１３の挙動（別言すると、運転状態）が制御される。
【００６４】
入力部１３２は、例えば、情報の入力を受け付ける。例えば、旅客ターミナル内の目的地を指定する情報が、入力部１３２によって受け付けられて制御部１３９に入力される。
【００６５】
表示部１３３は、例えば、情報を表示する。表示部１３３に表示される情報は、例えば、記憶部１３６に記憶された情報でもよいし、制御部１３９によって生成された情報でもよい。例えば、モビリティナビに関連した情報が表示部１３３に表示されてよい。
【００６６】
例えば、モビリティユーザに目的地などの情報入力を促す入力画面が制御部１３９によって生成されて表示部１３３に表示されてよい。また、例えば、モビリティナビに関連して、旅客ターミナルのマップ情報、旅客ターミナルに設置された施設情報、及び／又は、施設情報に関連した広告情報等が表示部１３３に表示されてよい。
【００６７】
また、例えば、フライトによって混雑が予想される搭乗ゲート周辺のエリア（以下「混雑予想エリア」と称することがある）及びその時間帯を示す情報が、表示部１３３に表示されてよい。また、例えば、混雑予想エリア及びその時間帯を避けた移動経路及び現在位置からの移動開始時刻（出発時刻）を示す情報が、表示部１３３に表示されてよい。
【００６８】
混雑が予想される時間帯は、例えば、フライトの出発時刻よりも前の時刻からフライトの出発時刻までの時間帯である。ただし、フライトの出発時刻よりも後の時刻が、混雑の予想される時間帯に含まれてもよい。例えば、フライトの出発時刻を過ぎた後、混雑が徐々に緩和して解消すると想定される時刻までの時間帯が、混雑の予想される時間帯にマージンとして含まれてもよい。
【００６９】
なお、入力部１３２と表示部１３３とは、個別のデバイスによって構成されてもよいし、例えば、タッチパネルディスプレイのように、情報の入力と出力（表示）とを並行して行えるデバイスに一体化されてもよい。
【００７０】
通信部１３４は、例えば、管理サーバ１１と、ＡＰ１５及びネットワーク１７を介して通信する。そのため、通信部１３４は、例えば、情報の送信部及び受信部（図示省略）を備えてよい。通信部１３４による管理サーバ１１との通信は、例えば、制御部１３９によって制御されてよい。
【００７１】
例えば、通信部１３４は、モビリティナビに関連した情報を管理サーバ１１と送受信する。また、通信部１３４は、例えば、ＵＥと通信することによって、既述のようにＵＥで読み取られた情報を受信して制御部１３９に入力してもよい。ＵＥで読み取られた情報には、既述のように、デジタルサイネージから読み取られた情報が含まれてよい。なお、ＵＥをモビリティ１３に取り付けるためのＵＥホルダ（図示省略）がモビリティ１３に備えられていてもよい。
【００７２】
また、通信部１３４は、例えば、デジタルサイネージのＬＥＤ（light emitting diode）光を受光するＬＥＤ受光器（図示省略）を備えてもよい。ＬＥＤ受光器を備えることで、例えば、通信部１３４は、ＵＥを介さずに、デジタルサイネージからＬＥＤ光の点滅によって示される情報を読み取ることができる。
【００７３】
なお、通信部１３４は、例えば、モビリティ１３の位置推定（又は位置検出）に用いられる無線信号（例えば、ビーコン信号のような発信信号）を周囲に送信（例えば、ブロードキャスト）する回路、及び／又は、そのような無線信号を受信する回路を備えてもよい。例えば、モビリティ１３の送信した無線信号を受信した１つ又は複数のＡＰ１５の位置情報を基に、モビリティ１３の位置を推定できる。
【００７４】
したがって、例えば、無線信号を受信したＡＰ１５が、ネットワーク１７経由で管理サーバ１１へ無線信号の受信を通知することで、管理サーバ１１においてモビリティ１３の位置を推定できる。
【００７５】
また、例えば、空港施設内に設置された１つ又は複数の無線機器（ＡＰ１５でもよいしＡＰ１５とは異なる無線機器でもよい）から無線信号をモビリティ１３が受信することによって、当該モビリティ１３の位置を当該モビリティ１３において推定（又は検出）することも可能である。なお、モビリティ１３及び／又は管理サーバ１１は、ＧＰＳ（global positioning system）の電波（無線信号）を用いて、モビリティ１３の位置を推定（又は検出）してもよい。
【００７６】
センサ１３５は、例えば、モビリティ１３の周囲をセンシングする。センシングによって、例えば、モビリティ１３の周囲に存在するの障害物等を検知できる。センシング結果（以下「センサ情報」と称することがある）に基づいて例えば制御部１３９が駆動ユニット１３７を制御することで、モビリティ１３の自動衝突回避機能（又はモード）、及び／又は、自動停止機能（又はモード）が実現される。
【００７７】
記憶部１３６は、モビリティナビに関連した情報を記憶する。例えば、空港施設（例えば、旅客ターミナル）のマップ情報、フライト情報、フライトの予約状況を示す情報、モビリティ１３の属性情報、及び／又は、空港内施設に関する情報が、記憶部１３６に記憶されてよい。なお、モビリティ１３の属性情報を「モビリティ属性情報」と略称することがある。また、フライトの予約状況を示す情報を「フライト予約情報」と略称することがある。
【００７８】
空港内施設に関する情報は、例えば、空港内施設を案内、紹介、又は広告する情報であってよい。空港内施設に関する情報には、図１０にて後述するように、空港施設を幾つかのエリアに区分した場合のエリアのそれぞれに含まれる、通路、通路幅、及び／又は、空港内施設に関する情報が含まれてもよいし、関連付けられていてもよい。以下、空港内施設に関する情報を「施設関連情報」あるいは「エリア／施設関連情報」と表記することがある。
【００７９】
なお、フライト情報、フライト予約情報、及び、モビリティ属性情報については、管理サーバ１１の構成例に関する説明と併せて、それぞれ、図６〜図８にて後述する。
【００８０】
駆動ユニット１３７は、例えば、モータ及び車輪を含む、モビリティ１３の駆動機構を有する。操作部１３１を通じて入力された操作信号に応じた駆動制御信号が制御部１３９から駆動ユニット１３７に与えられることによって、モビリティ１３の運転状態が制御される。
【００８１】
例えば、駆動制御信号に応じて、モータの回転方向、回転数、及び／又は、車輪の向きが制御されることによって、モビリティ１３の前進、後進、方向転換、及び／又は、移動速度の増減が行われる。なお、駆動ユニット１３７は、モビリティ１３を浮上させて移動させる機構を有していてもよい。
【００８２】
バッテリ１３８は、例えば、図３に例示した構成要素（エレメント）１３１〜１３７及び１３９のそれぞれが動作するための電力を供給する。バッテリ１３８には、非限定的な一例として、リチウムイオンバッテリのような充電式のバッテリ（二次電池とも呼ばれる）が適用されてよい。
【００８３】
制御部１３９は、例えば、上述したエレメント１３１〜１３８それぞれの動作を制御してモビリティ１３の全体的な動作を制御する。モビリティナビに着目した場合、制御部１３９は、例示的に、経路探索部１３９１、現在位置検出部１３９２、及び、所要時間推定部１３９３を備えてよい。
【００８４】
また、制御部１３９は、例えば、施設関連情報管理部１３９４、通信制御部１３９５、表示制御部１３９６、駆動制御部１３９７、及び、アラート処理部１３９８を備えてよい。施設関連情報管理部１３９４、及び／又は、アラート処理部１３９８は、オプションであってもよい。
【００８５】
経路探索部１３９１は、例えば、モビリティ１３の現在位置から目的地までの１つ以上の経路を旅客ターミナルのマップ情報において探索する。なお、経路探索部１３９１によって探索された経路を「探索経路」と略称することがある。
【００８６】
モビリティ１３の現在位置は、例えば、現在位置検出部１２９２において検出される。目的地は、例えば、入力部１３２を通じて入力（又は、指定）されてよい。旅客ターミナルのマップ情報は、例えば、記憶部１３６に記憶されている。
【００８７】
現在位置検出部１３９２は、例えば、通信部１３４を用いた通信によって、モビリティ１３の現在位置を検出する。例えば、通信部１３４において１つ以上のＡＰ１５及び／又は無線機器から受信される電波の受信強度を基に、モビリティ１３の現在位置が検出（「推定」と称してもよい）されてよい。
【００８８】
あるいは、通信部１３４において受信されるＧＰＳの電波を用いて、モビリティ１３の現在位置が検出されてもよい。また、ＡＰ１５又はその他の無線機器から受信される無線信号（例えば、ビーコン信号）、及び、ＧＰＳの電波を相互補完的に用いることで、モビリティ１３の現在位置が検出されてもよい。
【００８９】
なお、モビリティ１３の現在位置は、モビリティ１３の通信部１３４から送信された、ビーコン信号のような位置推定用の無線信号を基に、例えば、管理サーバ１１において推定又は検出されてもよい。
【００９０】
所要時間推定部１３９３は、例えば、モビリティ１３の属性情報（例えば、移動速度及びサイズ）を基に、モビリティ１３が現在位置から目的地へ経路探索部１３９１において探索された経路を移動する場合にかかる時間を算出して推定する。
【００９１】
所要時間の推定は、例示的に、混雑予想エリア及びその時間帯を示す情報に基づいて行われてよい。混雑予想エリア及びその時間帯は、例示的に、管理サーバ１１において推定されて、通信部１３４を介した通信によって管理サーバ１１から取得されてよい。
【００９２】
所要時間推定部１３９３は、例えば、モビリティ１３が、混雑予想エリア及びその時間帯を避けて移動できる、現在位置からの出発時刻を算出する。
【００９３】
施設関連情報管理部１３９４は、例えば、搭乗ゲート、ラウンジ、レストラン、カフェ、トイレ、又は、店舗等の空港内施設に関する情報（以下、便宜的に「施設関連情報」と称することがある）を記憶部１３６において管理する。施設関連情報には、例示的に、空港内施設の広告情報及び／又は特典情報が含まれてもよいし、関連付けられていてもよい。
【００９４】
通信制御部１３９５は、例えば、通信部１３４を介した、モビリティ１３と外部機器（例えば、ＡＰ１５、及び／又は、管理サーバ１１）との通信を制御する。
【００９５】
表示制御部１３９６は、例えば、表示部１３３に表示させる情報に応じた表示制御信号を表示部１３３に与えることによって、表示部１３３の表示状態を制御する。
【００９６】
駆動制御部１３９７は、例えば、マニュアルモードにおいて、操作部１３１を通じて入力された操作信号に応じた駆動制御信号を生成して駆動ユニット１３７に与える。これにより、駆動ユニット１３７の駆動状態が制御されて、モビリティ１３の運転状態が制御される。
【００９７】
また、駆動制御部１３９７は、自動運転モードにおいて、例えば、経路探索部１３９１、現在位置検出部１３９２、及び、センサ１３５と連携して、経路探索部１３９１による探索経路を自律移動するための駆動制御信号を生成して駆動ユニット１３７に与える。
【００９８】
例えば、駆動制御部１３９７は、現在位置検出部１３９２にて検出された現在位置の情報と、指定された目的地の情報と、記憶部１３６のマップ情報と、を基に、現在位置から目的地へ探索経路を自律移動するための駆動制御信号を生成する。
【００９９】
駆動制御信号は、例えば、センサ１３５によるセンサ情報に基づいて、生成又は補正されてよい。例えば、モビリティ１３の移動途中における経路からの「ずれ」が、センサ情報に基づいて補正されてよい。
【０１００】
例えば、センサ１３５によって測位された、通路における壁との距離を示す情報、壁以外の周囲環境を示す３次元情報、及び／又は、モビリティ１３の車輪の回転量を示す情報を用いたデッドレコニング（dead reckoning）に基づいて、モビリティ１３の移動方向が補正されてよい。
【０１０１】
デッドレコニングは、相対的自己位置推定法とも称される。モビリティ１３に複数の車輪が備えられる場合、車輪の回転量が独立に制御されることで、モビリティの移動方向を変えることができる。したがって、個々の車輪の回転量に基づいてモビリティ１３の移動方向を推定できる。モビリティ１３の周囲環境を示す３次元情報は、例えば、モビリティ１３に搭載されたカメラ（図示省略）によって取得されてよい。
【０１０２】
また、センサ情報が障害物の検知を示す場合に、モビリティ１３の移動速度を低下させる駆動制御信号、あるいはモビリティ１３の移動を停止させる駆動制御信号が生成されてよい。
【０１０３】
なお、自動運転モードには、複数の運転モードが選択可能に設定されてもよい。例えば、家族のような複数人のそれぞれがモビリティ１３を利用して集団で移動する場合の運転モードと、単独でモビリティ１３を利用して移動する場合の運転モードと、が、自動運転モードに設定されてよい。運転モード毎に、例えば、モビリティ１３の移動速度の設定が異なってよい。
【０１０４】
運転モードの設定又は選択は、例えば、操作部１３１を通じて行われてよい。設定又は選択された運転モードの情報（以下「運転モード設定情報」と称することがある）は、例えば、制御部１３９を通じて記憶部１３６に記憶される。駆動制御部１３９７は、記憶部１３６の運転モード設定情報を参照することで、運転モードに応じた駆動制御信号を生成する。
【０１０５】
アラート処理部１３９８は、例えば、所要時間推定部１３９３の推定又は算出の結果によると、モビリティ１３の目的地（例えば、搭乗ゲート）への到着に時間的な余裕が無く遅れが生じると判断される場合に、アラート情報を生成する。
【０１０６】
アラート情報は、例えば、通信部１３４を介して管理サーバ１１へ送信されてよい。管理サーバ１１は、アラート情報を受信した場合、例えば、空港スタッフに搭乗ゲートへの到着に遅れが生じるモビリティ１３の存在を知らせて迅速な対応を促すことができる。
【０１０７】
アラート情報に、例えば、モビリティ１３の現在位置を示す情報を含めることで、目的地への到着に遅れが生じているモビリティ１３の発見が容易になる。また、アラート情報に、例えば、モビリティ１３が目的地に向かって移動中であることを示す情報、及び／又は、所要時間推定部１３９３によって推定された、目的地への到着予定時刻が含められてもよい。
【０１０８】
モビリティ１３が目的地に向かって移動中であることを示す情報を、アラート情報に含めることで、例えば、モビリティユーザの現状を空港スタッフに知らせることができる。また、目的地への到着予定時刻は、混雑予想エリア及びその時間帯を考慮して推定された時刻であるため、到着予定時刻をアラート情報に含めた場合、例えば、空港スタッフに、モビリティユーザが搭乗ゲートに到着する予定時刻を、ある程度、正確に伝達できる。
【０１０９】
また、場合によっては、管理サーバ１１は、アラート情報を送信したモビリティ１３の運転状態を、例えばネットワーク１７経由の通信によって遠隔制御することで、モビリティ１３の目的地への移動をサポートしてもよい。
【０１１０】
また、アラート処理部１３９８は、アラート情報の管理サーバ１１への送信に代えて、あるいは、追加して、モビリティ１３の周囲にアラート状態であることを知らせる信号を、モビリティ１３に搭載の報知器（図示省略）に出力してもよい。報知器は、音及び光の一方又は双方によって、アラート状態を周囲に知らせる機器であってよい。
【０１１１】
アラート状態の周囲への報知によって、例えば、目的地への移動に遅れが生じているモビリティ１３の発見が容易になるほか、周囲の人々による移動のサポートが期待できる。例えば、モビリティ１３がスムーズに移動できるように移動を誘導するといった積極的なサポートが期待でき、また、モビリティ１３が混雑した通路を通り抜けられるように道を譲るといった消極的なサポートも期待できる。
【０１１２】
なお、アラート処理部１３９８は、例えば、モビリティ１３の故障等の異常状態が検知された場合、及び／又は、空港側システムへ緊急事態を通報するための操作が操作部１３１を通じて行われた場合においても、アラート情報を管理サーバ１１宛に送信してよい。これにより、例えば、空港スタッフは、異常の生じたモビリティ１３の迅速な交換対応、及び／又は、緊急事態に対する迅速な対応が可能になる。
【０１１３】
以上のようなアラート処理は、モビリティユーザ（例えば、ＰＲＭ）に、モビリティ１３による空港施設利用の安心感を与えることができるため、空港施設の信頼性を向上でき、ひいては、空港施設のイメージアップに資する。
【０１１４】
（モビリティのハードウェア構成例）
図４に示すように、モビリティ１３は、ハードウェア構成に着目した場合、例えば、プロセッサ１００１、入力装置１００２、出力装置１００３、メモリ１００４、及び、ストレージ１００５を備えてよい。また、モビリティ１３は、通信インタフェース（ＩＦ）１００６、センサ１００７、駆動ユニット１００８、及び、電源回路１００９を備えてよい。これらのエレメント１００１〜１００９は、例えば、バス１０１０によって接続されてよい。
【０１１５】
プロセッサ１００１は、モビリティ１３の動作を制御する。プロセッサ１００１は、演算能力を備えた回路又はデバイスの一例である。プロセッサ１００１には、例えば、ＣＰＵ（central processing unit）、ＭＰＵ（micro processing unit）、及び、ＧＰＵ（graphics processing unit）の少なくとも１つが用いられてよい。
【０１１６】
入力装置１００２は、例えば、図３に示した操作部１３１及び入力部１３２を含んでよい。入力装置１００２は、モビリティ１３に対する情報の入力に用いられるデバイス、例えば、操作ボタン、及び、マイクロフォンの少なくとも１つを含んでよい。入力装置１００２を通じて、プロセッサ１００１に情報が入力されてよい。
【０１１７】
出力装置１００３は、例えば、図３に示した表示部１３３を含んでよい。例えば、出力装置１００３は、表示部１３３に相当するディスプレイ（又は、モニタ）、プリンタ、及び、スピーカの少なくも１つを含んでよい。ディスプレイは、例示的に、タッチパネル式のディスプレイであってもよい。タッチパネル式のディスプレイは、入力装置１００２及び出力装置１００３の双方に該当すると捉えてよい。
【０１１８】
メモリ１００４は、例えば、プロセッサ１００１によって実行されるプログラム、及び、プログラムの実行に応じて処理されるデータ又は情報を記憶する。メモリ１００４には、ＲＡＭ（random access memory）及びＲＯＭ（read only memory）が含まれてよい。ＲＡＭは、プロセッサ１００１のワークメモリに用いられてよい。「プログラム」は、「ソフトウェア」あるいは「アプリケーション」と称されてもよい。
【０１１９】
ストレージ１００５は、プロセッサ１００１によって実行されるプログラム、及び、プログラムの実行に応じて処理されるデータ又は情報を記憶する。ストレージ１００５に、既述のフライト情報、及び、マップ情報等のモビリティナビに関連した情報が記憶されてよい。なお、モビリティナビに関連した情報は、予めストレージ１００５に記憶されてもよいし、例えば、管理サーバ１１から提供されてストレージ１００５に記憶されてもよい。
【０１２０】
ストレージ１００５は、ハードディスクドライブ（ＨＤＤ）、又は、ソリッドステートドライブ（ＳＳＤ）といった半導体ドライブ装置を含んでよい。半導体ドライブ装置の追加で又は代替で、フラッシュメモリのような不揮発性メモリが、ストレージ１００５に含まれてもよい。
【０１２１】
メモリ１００４及びストレージ１００５が、図３の記憶部１３６に該当すると捉えてよい。
【０１２２】
プログラムには、既述のようなモビリティナビを具現するプログラム（以下「モビリティナビプログラム」と略称することがある）が含まれてよい。モビリティナビプログラムを成すプログラムコードの全部又は一部は、メモリ１００４及び／又はストレージ１００５に記憶されてもよいし、オペレーティングシステム（ＯＳ）の一部に組み込まれてよい。
【０１２３】
プログラム及び／又はデータは、プロセッサ１００１による読み取りが可能な記録媒体に記録された形態で提供されてよい。記録媒体の一例としては、フレキシブルディスク、ＣＤ−ＲＯＭ，ＣＤ−Ｒ，ＣＤ−ＲＷ，ＭＯ，ＤＶＤ、ブルーレイディスク、ポータブルハードディスク等が上げられる。また、ＵＳＢ（universal serial bus）メモリ等の半導体メモリも記録媒体の一例である。
【０１２４】
また、プログラム及び／又は情報は、例えば、アプリケーションサーバ（不図示）からネットワーク１７を介してモビリティ１３に提供（ダウンロード）されてもよい。例えば、通信ＩＦ１００６を通じてプログラム及び／又は情報がモビリティ１３に提供されて、メモリ１００４及び／又はストレージ１００５に記憶されてよい。また、プログラム及び／又はデータは、入力装置１００２を通じてモビリティ１３に提供されて、メモリ１００４及び／又はストレージ１００５に記憶されてもよい。
【０１２５】
通信ＩＦ１００６は、例えば、図３の通信部１３４に該当し、ＡＰ１５、及び／又は、ネットワーク１７と通信するためのインタフェースである。通信ＩＦ１００６は、例えば、ＡＰ１５との無線通信のための無線インタフェースを備える。また、通信ＩＦ１００６は、ネットワーク１７との有線通信のための有線インタフェースを備えてもよい。
【０１２６】
プロセッサ１００１が、例えば、記憶部１３６に記憶されたモビリティナビプログラムを読み出して実行することにより、モビリティ１３は、既述のようなモビリティナビをサポートする装置の一例として機能する。
【０１２７】
例えば、プロセッサ１００１がモビリティナビプログラムを実行することによって、図３に例示した制御部１３９及び制御部１３９の各エレメント１３９１〜１３９８が具現される。
【０１２８】
センサ１００７及び駆動ユニット１００８は、それぞれ、例えば図３に示したセンサ１３５及び駆動ユニット１３７に該当する。
【０１２９】
電源回路１００９は、例えば図３に示したバッテリ１３８に該当し得る。電源回路１００９は、例えば、図４に示した各エレメント１００１〜１００８が動作するための電力を各エレメント１００１〜１００８のそれぞれに供給する。
【０１３０】
＜管理サーバの構成例＞
次に、管理サーバ１１の構成例について説明する。図５は、一実施形態に係る管理サーバ１１の機能的な構成の一例を示すブロック図であり、図１１は、一実施形態に係る管理サーバ１１のハードウェア構成の一例を示すブロック図である。なお、図６〜図９は、管理サーバ１１において記憶及び管理される情報形式の一例を示す図である。
【０１３１】
（管理サーバの機能構成例）
図５に示すように、管理サーバ１１は、入力部１１２、表示部１１３、通信部１１４、記憶部１１６、及び、制御部１１９を備えてよい。
【０１３２】
入力部１１２は、例えば、情報の入力を受け付ける。例えば、管理サーバ１１のオペレータによる入力情報が、入力部１１２によって受け付けられて制御部１１９に入力される。
【０１３３】
表示部１１３は、例えば、情報を表示する。表示部１１３に表示される情報は、例えば、記憶部１１６に記憶された情報でもよいし、制御部１１９によって生成された情報でもよい。例えば、モビリティナビに関連した情報が表示部１１３に表示されてよい。
【０１３４】
例えば、モビリティナビに関連して、旅客ターミナルのマップ情報、旅客ターミナルに設置された施設情報、及び／又は、施設情報に関連した広告情報等が表示部１１３に表示されてよい。
【０１３５】
また、例えば、モビリティ１３の現在位置から目的地に至る経路において混雑が予想されるエリア（例えば、搭乗ゲート周辺のエリア）及びその時間帯を示す情報が表示部１１３に表示されてよい。
【０１３６】
なお、入力部１１２と表示部１１３とは、個別のデバイスによって構成されてもよいし、例えば、タッチパネルディスプレイのように、情報の入力と出力（表示）とを並行して行えるデバイスに一体化されてもよい。
【０１３７】
通信部１１４は、例えば、モビリティ１３及び決済サーバ１９の一方又は双方と、ＡＰ１５、及び／又は、ネットワーク１７を介して通信する。そのため、通信部１１４は、例えば、情報の送信部及び受信部（図示省略）を備えてよい。モビリティ１３及び決済サーバ１９の一方又は双方との通信は、例えば、制御部１１９によって制御されてよい。
【０１３８】
例えば、通信部１１４は、モビリティナビに関連した情報をモビリティ１３と送受信する。また、通信部１１４は、例えば、モビリティナビに関連してモビリティユーザに広告情報が提供された場合に、広告主に対する課金処理に関連した情報を決済サーバ１９と送受信する。
【０１３９】
制御部１１９は、例えば、上述したエレメント１１２、１１３、１１４、及び、１１６それぞれの動作を制御して管理サーバ１１の全体的な動作を制御する。モビリティナビに着目した場合、制御部１１９は、例示的に、モビリティ管理部１１９１、混雑状況推定部１１９２、アラート処理部１１９３、遠隔制御部１１９４、通信制御部１１９５、表示制御部１１９６、及び、課金（決済）処理部１１９７を備えてよい。アラート処理部１１９３、遠隔制御部１１９４、及び／又は、課金処理部１１９７は、オプションであってもよい。
【０１４０】
モビリティ管理部１１９１は、例えば、旅客ターミナルにおいて利用される１台以上のモビリティ１３を管理する。モビリティ１３を管理することには、例えば、モビリティ１３のＩＤ（モビリティＩＤ）と関連付けて、モビリティ１３の現在位置、運転状態、属性、及び、移動履歴（移動ログ）の何れか１つ以上の情報を管理することが含まれてよい。情報を管理することには、例えば、記憶部１１６に対するアクセス、及び／又は、情報の更新が含まれてよい。
【０１４１】
モビリティ１３の属性情報には、例示的に、モビリティ１３の機種、最高速度、及び、サイズの情報が含まれてよい。モビリティ１３の現在位置及び運転状態を示す情報は、例えば、通信部１１４を介したモビリティ１３との通信によって取得されてよい。モビリティ１３の現在位置を示す情報は、例えば、ＧＰＳを用いて取得されてもよい。
【０１４２】
混雑状況推定部１１９２は、例えば、フライト情報と、フライトに関連付けられた場所（例えば、搭乗ゲート）に関する情報と、に基づいて、混雑予想エリア及びその時間帯を推定する。
【０１４３】
フライト情報及び搭乗ゲート情報に加えて、例えば、モビリティ１３の現在位置及び目的地の情報を用いることで、混雑状況推定部１１９２は、例えば、モビリティ１３が現在位置から目的地へ移動する経路における混雑予想エリア及びその時間帯を推定してもよい。
【０１４４】
空港施設においては、フライトという未来のイベントがスケジュールされたフライト情報に基づいて、搭乗客のそれぞれが目的の搭乗ゲートへ移動する。そのため、フライト情報と搭乗ゲート情報と、を用いることで、個々の搭乗ゲート周辺において混雑が予想されるエリア及びその時間帯を、ある程度の精度で推定できる。
【０１４５】
したがって、フライトの予約人数（又は、チェックイン手続きが完了した人数）、及び、モビリティ属性情報の一方又は双方は、混雑予想エリア及びその時間帯の推定に用いられなくてもよい。なお、チェックイン手続きが完了した人数を「チェックイン人数」と略称することがある。
【０１４６】
フライトの予約人数（又は、チェックイン人数）、及び、モビリティ属性情報の一方又は双方を、フライト情報及び搭乗ゲート情報と併用した場合には、混雑予想エリア及びその時間帯の推定精度を高めることができる。
【０１４７】
アラート処理部１１９３は、例えば、モビリティ１３が管理サーバ１１宛に送信したアラート情報を、通信部１１４を通じて受信した場合に、アラート処理を行う。アラート処理には、例えば、受信したアラート情報を表示部１１２に表示する処理が含まれてよい。アラート情報の表示部１１２への表示によって、例えば、空港スタッフに搭乗ゲートへの到着に遅れが生じるモビリティ１３の存在を知らせて対応を促すことができる。
【０１４８】
遠隔制御部１１９４は、例えば、アラート処理部１１９３においてアラート情報が受信された場合に、アラート情報の送信元モビリティ１３の運転状態を、例えばネットワーク１７経由の通信によって遠隔制御する。モビリティ１３の遠隔制御によって、モビリティ１３の目的地への移動をサポートできる。
【０１４９】
通信制御部１１９５は、例えば、通信部１１４を介した、管理サーバ１１と外部機器（例えば、モビリティ１３、及び／又は、決済サーバ１９）との通信を制御する。
【０１５０】
表示制御部１１９６は、例えば、表示部１１３に表示させる情報に応じた表示制御信号を表示部１１３に与えることによって、表示部１１３の表示状態を制御する。
【０１５１】
課金（決済）処理部１１９７は、例えば、モビリティナビにおいて、レストラン、カフェ、又はお土産店といった空港内施設に関する広告情報が、モビリティユーザに提示された場合の広告料金の課金（又は決済）処理を行う。
【０１５２】
例えば、モビリティ１３が、モビリティナビによる目的地への移動経路において、広告情報の提示された施設が位置するエリアに進入した場合に、広告情報の広告主が予め指定した決済方法によって課金処理を行う。
【０１５３】
モビリティ１３が特定のエリアに進入したか否かは、例えば、モビリティ１３から、管理サーバ１１を経由して、あるいは、管理サーバ１１を経由せずに、決済サーバ１９に通知されてよい。
【０１５４】
記憶部１１６は、例えば、モビリティナビに関連した情報を記憶する。非限定的な一例として、フライト情報１１６１、フライト予約情報１１６２、モビリティ属性情報１１６３、及び、モビリティ位置情報１１６４、空港施設のマップ情報１１６５、及び、エリア／施設関連情報１１６６が、記憶部１１６に記憶されてよい。
【０１５５】
（情報形式の一例）
フライト情報１１６１の一例を図６に示す。図６には、「出発」のフライト情報１１６１が例示されている。フライト情報１１６１は、例えば、複数のフライトに関するスケジュール情報であり、例えば、空港施設内の電子掲示板等に表示されてよい。
【０１５６】
図６に示すように、フライト情報１１６１には、例えば、フライトの便名、行先、定刻の出発時刻、出発時刻の変更（欠航の有無が示されてもよい）、チェックイン手続きの場所、搭乗ゲート、及び、搭乗手続きの状況等の情報が含まれてもよいし、あるいは、関連付けられていてもよい。
【０１５７】
なお、搭乗ゲートの情報は、フライト情報１１６１において発生がスケジュールされたイベントの一例である「フライト」に関連付けられた、イベントの発生場所を示す情報の一例である。
【０１５８】
図７は、フライト予約情報１１６２の一例を示す図である。フライト予約情報１１６２は、例えば、出発便毎の予約状況（例えば、予約人数）を示す情報である。フライト予約情報１１６２には、非限定的な一例として、出発便毎の予約人数と、チェックイン手続きが完了した人数（以下「チェックイン人数」と称することがある）と、が含まれてもよいし、あるいは関連付けられていてもよい。
【０１５９】
図８は、モビリティ属性情報１１６３の一例を示す図である。モビリティ属性情報１１６３は、例えば、モビリティ１３の移動速度、運転モード、及び、モビリティ１３のサイズといった、モビリティ１３の属性を示す情報である。
【０１６０】
非限定的な一例として、モビリティ属性情報１１６３には、モビリティ１３の識別情報（ＩＤ）毎に、機種、サポートする最高速度、及び、サイズ（Ｌ×Ｗ×Ｈ）を示す情報が含まれてもよいし、あるいは関連付けられていてもよい。なお、図８に例示したように、モビリティ１３の移動履歴を示す情報（例えば、移動ログ）が、モビリティ属性情報１１６３に含まれてもよいし、関連付けられていてもよい。
【０１６１】
モビリティ１３の移動速度は、例えば、健常者の通常の歩行速度と同程度の速度であってよい。例えば、モビリティ１３は、時速０ｋｍ〜６ｋｍの可変速度レンジで移動が可能である。モビリティ１３の最高速度は、例えば、時速４ｋｍ〜６ｋｍのレンジであってよい。
【０１６２】
なお、最高速度が時速６ｋｍ以下で移動するモビリティ１３は、日本の道路交通法において歩行者と扱われる（又は、分類される）。空港施設のような屋内での移動の安全面を考慮した場合、モビリティ１３の移動速度は、最高速度よりも低い速度（例えば、時速４ｋｍ程度）に設定されてよい。
【０１６３】
モビリティ１３の既述の運転モードを示す情報が、モビリティ属性情報１１６３に含まれてもよいし、あるいは関連付けられていてもよい。運転モードの相違によって、モビリティ１３の移動速度も異なり得る。なお、複数の運転モードが用意されていないモビリティ１３については、モビリティ属性情報１１６３に、運転モードを示す情報は含まれなくてよい。
【０１６４】
モビリティ１３のサイズを示す情報（以下「サイズ情報」と略称することがある）には、例えば、長さ（Ｌ）、幅（Ｗ）、及び／又は、高さ（Ｈ）を示す情報が含まれてよい。モビリティ１３のサイズは、例えば、空港施設の通路をスムーズに移動又は通過できるか否かに影響し得る。例えば、モビリティ１３の幅は、モビリティ１３の長さ（Ｌ）及び高さ（Ｈ）に比べて、スムーズな通路移動の可否に影響し易いと云える。
【０１６５】
したがって、モビリティ１３の移動速度、運転モード、及び／又は、サイズに関する情報は、モビリティ１３が空港施設内の通路を移動して現在位置から目的地に到着するまでにかかる時間の推定に影響する情報の一例である。
【０１６６】
例えば、モビリティ１３の移動速度、及び／又は、運転モードが異なれば、推定される時間も異なり得る。モビリティ１３のサイズが異なれば、例えば、通路幅との関係で移動のし易さが異なるため、推定される時間も異なり得る。
【０１６７】
なお、モビリティ１３の移動ログは、例えば、管理サーバ１１において、モビリティ１３が送信したビーコン信号、及び／又は、ＧＰＳを用いて周期的に推定又は検出したモビリティ１３の現在位置を時系列に記録することで管理されてよい。
【０１６８】
モビリティ位置情報１１６４は、モビリティ１３が送信したビーコン信号、及び／又は、ＧＰＳを用いて推定又は検出された、モビリティ１３の現在位置を示す情報であり、例えば、上述のモビリティ管理部１１９１によって管理される。
【０１６９】
図９は、エリア／施設関連情報１１６６の一例を示す図である。エリア／施設関連情報１１６６には、非限定的な一例として、図１０にて後述するように空港施設を複数のエリアに区分した場合の「エリア（ＩＤ）」毎に、「通路（ＩＤ）」、「通路幅」、「施設」に関する情報が含まれてもよいし、あるいは関連付けられていてもよい。
【０１７０】
また、エリア／施設関連情報１１６６には、「施設」（例えば、ラウンジ、レストラン、カフェ、お土産店等の店舗）に関して、施設利用者に対する「広告」及び／又は「特典」に関する情報が含まれてもよいし関連付けられていてもよい。
【０１７１】
また、「広告」及び／又は「特典」に関して、課金先に関する情報（以下「課金先情報」と称することがある）が、エリア／施設関連情報１１６６に含まれてもよいし、あるいは関連付けられていてもよい。課金先情報は、例えば、広告主等が指定する決済方法（指定の銀行口座からの引き落とし、あるいは、クレジットカード決済等）を示す情報である。
【０１７２】
例えば、モビリティナビにおいて「広告」及び／又は「特典」を提示されたモビリティユーザが、該当施設を利用したと判断（又は推定）してよい場合に、管理サーバ１１（例えば、課金処理部１１９７）は、決済サーバ１９に対して課金処理を実行する。
【０１７３】
モビリティユーザが該当施設を利用したと判断（又は推定）してよい場合の一例としては、モビリティ位置情報１１６４とエリア／施設関連情報１１６６とを基に、モビリティ１３が該当施設のエリアに進入したか否かを判断することが挙げられる。
【０１７４】
次に、図１０に、空港施設（例えば、出発ターミナル）におけるエリア区分の一例を示す。図１０には、出発ターミナルのフロアマップ（平面図）の一部が模式的に示されており、例えば、エリアＡ＃１、エリアＢ＃１、エリアＢ＃２、及び、エリアＣ＃が例示されている。
【０１７５】
また、エリアＡ＃１の通路脇には、例えば、ラウンジＡ、カフェＢ、及び、お土産店Ｃが配置されている。エリアＢ＃１の通路脇には、例えば、トイレ（ＷＣ）Ｄ及び案内カウンターＥが配置されている。エリアＢ＃２の通路脇には、例えば、喫煙ルームＦが配置されている。
【０１７６】
また、エリアＡ＃１、設置物ａ＃１が配置され、エリアＢ＃１には、設置物ｂ＃１１及びｂ＃１２が配置され、エリアＢ＃２には、設置物ｂ＃２が配置され、エリアＣ＃１には、設置物ｃ＃１が配置されている。設置物ａ＃１によって、エリアＡ＃１の通路は、２つの通路（ＩＤ）ａａ＃１１及びａａ＃１２に分割されている。
【０１７７】
同様に、設置物ｂ＃１１及びｂ＃１２によって、エリアＢ＃１の通路は、２つの通路（ＩＤ）ｂｂ＃１１及びｂｂ＃１２に分割されている。設置物ｂ＃２によって、エリアＢ＃２の通路は、２つの通路（ＩＤ）ｂｂ＃２１及びｂｂ＃２２に分割されている。
【０１７８】
したがって、例えば図９に示したように、ラウンジＡは、エリアＩＤが「Ａ＃１」であるエリアの、通路（ＩＤ）が「ａａ＃１１」である通路脇に位置することを特定（又は識別）できる。
【０１７９】
その他の施設（カフェＢ、お土産店Ｃ、トイレＤ、案内カウンターＥ、及び、喫煙ルームＦ）についても、同様に、エリアＩＤと通路ＩＤとの組み合わせによって、その位置を特定（又は識別）可能である。
【０１８０】
なお、空港施設におけるエリア区分は、図１０の例に限定されない。例えば、施設が配置されたフロアの形状、及び／又は、施設の単位面積あたりの配置数（別言すると、配置密度）等に応じて、エリア区分の方法は変更されてよい。例えば、施設の配置密度が高いエリアは、配置密度の低いエリアよりも区分するエリアのサイズを小さくしてもよい。また、施設単位でエリアが区分されてもよい。
【０１８１】
区分するエリアのサイズを小さくするほど、きめ細かなモビリティナビを実現できるが、管理及び／又は処理する情報量が増えるため、両者はトレードオフの関係にある。区分するサイズは、このようなトレードオフを考慮して最適化されてよい。
【０１８２】
また、エリア区分は、エリアを区分する境界線を示す情報を用いて管理されてもよい。例えば図９に示したエリア／施設関連情報において、図１０に点線で示した境界線を示す情報によってエリアＩＤ、通路ＩＤ、及び／又は、通路幅に相当する情報が管理されてもよい。
【０１８３】
（管理サーバのハードウェア構成例）
図１１に示すように、管理サーバ１１は、例示的に、ハードウェア構成に着目した場合、例えば、プロセッサ２００１、入力装置２００２、出力装置２００３、メモリ２００４、及び、ストレージ２００５を備えてよい。また、管理サーバ１１は、通信ＩＦ２００６、及び、電源回路２００９を備えてよい。これらのエレメント２００１〜２００６及び２００９は、例えば、バス２０１０によって接続されてよい。
【０１８４】
プロセッサ２００１は、管理サーバ１１の動作を制御する。プロセッサ２００１は、演算能力を備えた回路又はデバイスの一例である。プロセッサ２００１には、例えば、ＣＰＵ、ＭＰＵ、及び、ＧＰＵの少なくとも１つが用いられてよい。
【０１８５】
入力装置２００２は、例えば、図５に示した入力部１１２を含んでよい。入力装置２００２は、管理サーバ１１に対する情報の入力に用いられるデバイス、例えば、操作ボタン、キーボード、マウス、及び、マイクロフォンの少なくとも１つを含んでよい。入力装置２００２を通じて、プロセッサ２００１に情報が入力されてよい。
【０１８６】
出力装置２００３は、例えば、図５に示した表示部１１３を含んでよい。例えば、出力装置２００３は、表示部１１３に相当するディスプレイ（又は、モニタ）、プリンタ、及び、スピーカの少なくも１つを含んでよい。ディスプレイは、例示的に、タッチパネル式のディスプレイであってもよい。タッチパネル式のディスプレイは、入力装置２００２及び出力装置２００３の双方に該当すると捉えてよい。
【０１８７】
メモリ２００４は、例えば、プロセッサ２００１によって実行されるプログラム、及び、プログラムの実行に応じて処理されるデータ又は情報を記憶する。メモリ２００４には、ＲＡＭ及びＲＯＭが含まれてよい。ＲＡＭは、プロセッサ２００１のワークメモリに用いられてよい。
【０１８８】
ストレージ２００５は、プロセッサ２００１によって実行されるプログラム、及び、プログラムの実行に応じて処理されるデータ又は情報を記憶する。ストレージ２００５に、図５に例示した情報１１６１〜１１６６の少なくとも１つが記憶されてよい。
【０１８９】
ストレージ２００５は、ハードディスクドライブ（ＨＤＤ）、又は、ソリッドステートドライブ（ＳＳＤ）といった半導体ドライブ装置を含んでよい。半導体ドライブ装置の追加で又は代替で、フラッシュメモリのような不揮発性メモリが、ストレージ２００５に含まれてもよい。
【０１９０】
メモリ２００４及びストレージ２００５が、図５の記憶部１１６に該当すると捉えてよい。
【０１９１】
プログラムには、モビリティナビプログラムが含まれてよい。モビリティナビプログラムを成すプログラムコードの全部又は一部は、メモリ２００４及び／又はストレージ２００５に記憶されてもよいし、オペレーティングシステム（ＯＳ）の一部に組み込まれてよい。
【０１９２】
プログラム及び／又はデータは、プロセッサ２００１による読み取りが可能な記録媒体に記録された形態で提供されてよい。記録媒体の一例としては、フレキシブルディスク、ＣＤ−ＲＯＭ，ＣＤ−Ｒ，ＣＤ−ＲＷ，ＭＯ，ＤＶＤ、ブルーレイディスク、ポータブルハードディスク等が上げられる。また、ＵＳＢメモリ等の半導体メモリも記録媒体の一例である。
【０１９３】
また、プログラム及び／又は情報は、例えば、アプリケーションサーバ（不図示）からネットワーク１７を介して管理サーバ１１に提供（ダウンロード）されてもよい。例えば、通信ＩＦ２００６を通じてプログラム及び／又は情報が管理サーバ１１に提供されて、メモリ２００４及び／又はストレージ２００５に記憶されてよい。また、プログラム及び／又はデータは、入力装置２００２を通じて管理サーバ１１に提供されて、メモリ２００４及び／又はストレージ２００５に記憶されてもよい。
【０１９４】
通信ＩＦ２００６は、例えば、図５の通信部１１４に該当し、ＡＰ１５、ネットワーク１７、及び／又は、決済サーバ１９と通信するためのインタフェースである。通信ＩＦ２００６は、例えば、ネットワーク１７、及び／又は、決済サーバ１９との有線通信のための有線インタフェースを備えてもよい。
【０１９５】
プロセッサ２００１が、例えば、記憶部１１６に記憶されたモビリティナビプログラムを読み出して実行することにより、管理サーバ１１を既述のようなモビリティナビをサポートする装置の一例として機能する。
【０１９６】
例えば、プロセッサ２００１がモビリティナビプログラムを実行することによって、図５に例示した制御部１１９及び制御部１１９の各エレメント１１９１〜１１９７が具現される。
【０１９７】
電源回路２００９は、例えば図１１に示した各エレメント２００１〜２００６が動作するための電力を各エレメント２００１〜２００６のそれぞれに供給する。
【０１９８】
なお、決済サーバ１９のハードウェア構成例は、図１１に例示した管理サーバ１１のハードウェア構成例と同等でよい。決済サーバ１９は、例えば、管理サーバ１１との通信によって取得される、課金先及び決済方法に関する情報を基に決済処理を行う機能部を有する。
【０１９９】
＜動作例＞
以下、上述したナビゲーションシステム１の動作例について、図１２〜図２０を参照して説明する。
【０２００】
（モビリティの動作例）
図１２は、一実施形態に係るモビリティ１３の動作の一例を示すフローチャートである。図１２に示すフローチャートは、例えば、図３の制御部１３９（図４のプロセッサ１００１）において実行されてよい。
【０２０１】
図１２に例示するように、モビリティ１３は、入力部１３３又は通信部１３４を通じて制御部１３９に、モビリティ１３の目的地（例えば、搭乗ゲート等の空港内施設）を示す情報の入力を受け付ける（Ｓ１１）。なお、モビリティ１３の現在位置を示す情報が、例えば、入力部１３３又は通信部１３４を通じて、制御部１３９において受け付けられてもよい。受け付けた情報は、通信部１３４を通じて、管理サーバ１１宛に送信されてよい。
【０２０２】
なお、目的地を示す情報の入力は、例えば、表示部１３３の表示画面に表示されたマップにおいてモビリティユーザが目的地に該当する箇所を選択することによって行われてよい。
【０２０３】
目的地を示す情報を受け付けた場合、制御部１３９は、現在位置検出部１３９２によって、モビリティ１３の現在位置を検出（又は推定）する（Ｓ１２）。なお、処理Ｓ１１と処理Ｓ１２との順序は、相互に入れ替えられてもよいし、並行して実行されてもよい。
【０２０４】
その後、制御部１３９は、例えば経路探索部１３９１によって、モビリティ１３の現在位置から目的地までの経路（例えば、最短経路）を、記憶部１３６に記憶されたマップ情報１１６５に基づいて、探索する（Ｓ１３）。
【０２０５】
マップ情報１１６５は、例えば、通信部１３４において、管理サーバ１１からネットワーク１７及び／又はＡＰ１５を通じて受信された情報でもよいし、デジタルサイネージのＬＥＤ光によって受信された情報でもよい。
【０２０６】
経路探索によって経路が探索されると、経路探索部１３９１は、例えば、探索された経路が経由する（別言すると、通過する）エリア（以下、便宜的に「通過エリア」と略称することがある）を１つ以上抽出する（Ｓ１４）。なお、「通過エリア」は、例えば、既述のように空港施設のマップ情報を複数のエリアに区分した場合の、区分されたエリアの１つに該当する。
【０２０７】
経路探索部１３９１によって１つ以上の通過エリアが抽出されると、制御部１３９は、例えば所要時間推定部１３９３において、通過エリア毎にモビリティ１３の到着予定時刻を、モビリティ属性情報１１６３における速度情報に基づいて、算出する（Ｓ１５）。
【０２０８】
通過エリア毎の到着予定時刻が算出されると、所要時間推定部１３９３は、例えば、何れかの通過エリア及び到着予定時刻が、混雑予想エリア及びその時間帯と重なるか否かを判定する（Ｓ１６）。
【０２０９】
混雑予想エリア及びその時間帯の情報は、例えば、管理サーバ１１において推定されて管理サーバ１１から受信される。例えば図１４にて後述するように、管理サーバ１１は、処理Ｓ１１においてモビリティ１３が送信した目的地の情報を受信することによって、混雑予想エリア及びその時間帯を推定し、推定結果をモビリティ１３宛に送信する。
【０２１０】
Ｓ１６での判定の結果、混雑予想エリア及びその時間帯に重なる通過エリアが存在する場合（Ｓ１６においてＹＥＳ）、所要時間推定部１３９３は、例えば、Ｓ１５において算出されたエリア毎の到着予定時刻を補正する（Ｓ１７）。
【０２１１】
例えば、所要時間推定部１３９３は、エリア毎の到着予定時刻を、混雑が予想される時間帯と重ならない時刻（別言すると、混雑が予想される時間帯を避けた時刻）に補正する。この時刻補正は、例示的に、１つの通過エリアについての時刻補正と連動して他の通過エリアについても同等の時刻補正がなされるシフト補正であってよい。
【０２１２】
なお、時刻補正は、混雑が予想される時間帯よりも前の時間帯への補正でもよいし、混雑が予想される時間帯よりも後の時間帯への補正でもよい。便宜的に、前者を「前倒し補正」と称し、後者を「後倒し補正」と称することがある。
【０２１３】
「前倒し補正」の一例を図１３に示す。図１３に示すグラフの縦軸は、モビリティ１３の現在位置からの距離（又は場所）を表し、図１３に示すグラフの横軸は、時刻を表す。
【０２１４】
縦軸には、例示的に、搭乗ゲートＧ１０６、カフェ、搭乗ゲートＧ１０７、及び、搭乗ゲートＧ１０８の順番に、現在位置からの距離が長くなることが示されている。
【０２１５】
また、横軸には、搭乗ゲートＧ１０７のフライト＃１、搭乗ゲートＧ１０８のフライト＃２、及び、搭乗ゲートＧ１０６のフライト＃３の順番に出発時刻が到来することが示されている。
【０２１６】
図１３の例では、フライト＃１の出発時刻が近づくにつれて搭乗ゲートＧ１０７付近の混雑が増し、フライト＃３の出発時刻が近づくにつれて搭乗ゲートＧ１０６付近の混雑が増すことが、ハッチングを付した領域によって示されている。
【０２１７】
フライト＃１の出発時刻が過ぎると、搭乗ゲートＧ１０７付近に生じていた混雑は解消又は緩和される。同様に、フライト＃３の出発時刻が過ぎると、搭乗ゲートＧ１０６付近に生じていた混雑は解消又は緩和される。
【０２１８】
ここで、モビリティユーザの搭乗予定のフライトが、搭乗ゲートＧ１０８のフライト＃２である場合の「前倒し補正」について説明する。図１３において、一点鎖線で示した矢印ＡＴ２は、モビリティユーザが、移動経路において目的地である搭乗ゲートＧ１０８まで混雑に巻き込まれずにスムーズに移動できる場合の移動を表す。
【０２１９】
例えば、一点鎖線矢印ＡＴ２に示すように、モビリティ１３は、現在位置を時刻Ｔ２において搭乗ゲートＧ１０８に向けて出発し、或る平均速度で搭乗ゲートＧ１０８まで移動する。移動経路において混雑に巻き込まれることが無ければ、モビリティ１３は、一点鎖線矢印ＡＴ２で示す移動によって、搭乗ゲートＧ１０８へフライト＃２の出発時刻までに間に合う。
【０２２０】
しかし、図１３の例では、フライト＃１の出発時刻が近づくにつれて混雑度が増す搭乗ゲートＧ１０７付近の混雑予想エリアに、一点鎖線矢印ＡＴ２で示す移動が重なる。そのため、モビリティ１３は混雑予想エリアをスムーズに移動できない可能性がある。搭乗ゲートＧ１０７付近の混雑予想エリアに、一点鎖線矢印ＡＴ２で示す移動が重なることは、図１２の処理Ｓ１６において「ＹＥＳ」と判定される例である。
【０２２１】
モビリティ１３が混雑予想エリアに遭遇した場合、モビリティ１３の平均移動速度が低下するため、例えば図１３において点線矢印ＡＴ２ａに示すように、搭乗ゲートＧ１０８への到着がフライト＃２の出発時刻に間に合わなくなる可能性がある。
【０２２２】
そこで、図１２の処理Ｓ１７において、例えば図１３において実線矢印ＡＴ１で示すように、モビリティ１３の現在位置からの出発時刻を、時刻Ｔ２よりも早く、かつ、フライト＃２の出発時刻に間に合う時刻Ｔ１にシフトする（別言すると、早める）。このように出発時刻を早める補正は、「前倒し補正」と称されてよい。なお、実線矢印ＡＴ１で表した移動は、一点鎖線矢印ＡＴ２で表した移動に対して平均移動速度は変わらないものと扱っている。
【０２２３】
「前倒し補正」によって、モビリティ１３は、搭乗ゲートＧ１０７の付近に発生すると予想される混雑に巻き込まれずに、目的地である搭乗ゲートＧ１０８までの移動経路をスムーズに移動できる。したがって、モビリティユーザが、搭乗予定のフライト＃２の出発時刻までに搭乗ゲートＧ１０８へ到着できる確実性を高めることができる。
【０２２４】
なお、図１３には、「前倒し補正」の例を示したが、フライト＃２の出発時刻に間に合う時刻であれば、現在位置からの出発時刻の補正は、時刻Ｔ２よりも後の時刻に遅らせる「後倒し補正」であってもよい。
【０２２５】
また、図１３において、出発時刻Ｔ１に、モビリティユーザが、搭乗ゲートＧ１０８に向かって移動を開始したと仮定した場合、点線矢印ＡＴ１ａに示すように、経路の移動途中に位置するカフェに立ち寄ってもフライト＃２の出発時刻に間に合うことがある。
【０２２６】
したがって、モビリティユーザは、経路の移動途中にカフェに立ち寄って時間を潰すことができる。現在位置からの出発時刻の補正は、このように、モビリティユーザが経路の移動途中に立ち寄り可能な空港内施設の情報を加味して行われてもよい。
【０２２７】
なお、図１３に例示したグラフがモビリティ１３の表示部１３３（又は、モビリティユーザが所持するＵＥの表示部）に表示されてもよい。図１３に例示したグラフは、例えば、処理Ｓ１５及び／又は処理Ｓ１６によって得られる。
【０２２８】
図１３に例示したグラフがモビリティ１３の表示部１３３（又はＵＥの表示部）に表示されることは、上述したフライト情報を用いた混雑及び時間帯の推定結果がモビリティ１３に提示されることの非限定的な一例である。
【０２２９】
このようなグラフ表示によって、例えば、現在位置を目的地（例えば、搭乗ゲート）に向けて出発すべき時刻、経路の移動途中に立ち寄れそうな空港内施設、及び／又は、搭乗予定のフライト時刻までの余裕時間（別言すると、待ち時間）等の視認性を向上できる。
【０２３０】
したがって、例えば、モビリティユーザがフライト時刻までの待ち時間に採り得る未来の行動の選択肢（別言すると、行動パターン又は行動様式の候補）を広げることができる。なお、推定結果の表示態様は、図１３のようなグラフ表示に限られず、例えば、表（テーブル）を用いた表示態様でもよいし、その他の表示態様であってもよい。
【０２３１】
上述のような時刻補正（図１２のＳ１７）の後、所要時間推定部１３９３は、例えば図１２に示すように、通過エリアそれぞれの補正後の到着予定時刻を基に、モビリティ１３が現在位置から目的地へ移動するのにかかる時間を算出する（Ｓ１８）。モビリティ１３が現在位置から目的地へ移動するのにかかる時間は、便宜的に「移動所要時間」と略称されてよい。
【０２３２】
なお、通過エリア毎の到着予定時刻が、混雑の予想される時間帯と重ならない場合（Ｓ１６；ＮＯ）、所要時間推定部１３９３は、Ｓ１７の処理をスキップしてよい。すなわち、所要時間推定部１３９３は、通過エリアそれぞれの到着予定時刻の補正は行わずに、移動所要時間の算出（Ｓ１８）を実行してよい。
【０２３３】
所要時間推定部１３９３によって移動所要時間が算出されると、制御部１３９は、例えば表示制御部１３９６によって、算出された移動所要時間に応じた情報を表示部１３３に表示させる（Ｓ１９）。
【０２３４】
表示部１３３に表示される「移動所要時間に応じた情報」は、例えば、算出された移動所要時間を示す情報そのものでもよいし、移動所要時間を基に算出された、モビリティ１３が現在位置を出発すべき時刻（別言すると、「移動開始時刻」）を示す情報でもよい。例えば図１３に示した時刻Ｔ１は、「移動開始時刻」に相当する。
【０２３５】
また、モビリティ１３が現在時刻において目的地に向かって直ちに移動を開始した場合の、目的地への到着予定時刻を示す時刻を示す情報が、「移動所要時間に応じた情報」に該当してもよい。以上の時刻情報の表示に関する複数の表示態様は、適宜に、２つ以上が組み合わされてもよい。
【０２３６】
その後、モビリティ１３は、例えば制御部１３９の駆動制御部１３９７によって、モビリティ１３の駆動機構が、マップ情報において探索された経路の情報と、センサ１３５の情報と、を基に制御されることで、探索された経路を自律的に移動する（Ｓ２０）。
【０２３７】
別言すると、モビリティ１３は、探索された経路を自動運転機能によって移動する。ただし、モビリティ１３が、探索された経路を移動する際の制御の一部又は全部は、操作部１３１に対するモビリティユーザのマニュアル操作に従って行われてもよい。
【０２３８】
モビリティ１３の移動制御に連動して、例えば、モビリティ１３の現在位置、移動方向、及び／又は、移動速度を示す情報が、表示制御部１３９６によって表示部１３３にリアルタイムに表示されてもよい。
【０２３９】
その後、制御部１３９は、例えば、モビリティ１３が目的地へ移動所要時間内に到着したか否かを判定する（Ｓ２１）。モビリティ１３が目的地に到着したか否かは、例えば、現在位置検出部１３９１によって検出される現在位置がマップ情報における目的地に該当するか否かによって判定されてよい。
【０２４０】
モビリティ１３が目的地へ移動所要時間内に到着したと判定した場合（Ｓ２１；ＹＥＳ）、制御部１３９は、処理を終了してよい。なお、処理の終了は、例えば、モビリティ１３が目的地に到着したことをユーザに通知した後、その通知に対するユーザの確認操作が制御部１３９において検出されたことをトリガにしてもよい。
【０２４１】
また、制御部１３９は、目的地への到着後に、例えば、自動回収モードによって、モビリティ１３を自動運転によって所定の回収位置へ移動させてよい。これにより、例えば、利用終了後のモビリティ１３の空港スタッフによる回収業務負担を軽減できる。
【０２４２】
目的地に到着したことのユーザへの通知は、例えば、表示制御部１３９６による表示部１３３の表示制御によって行われてもよいし、代替的又は追加的に、出力装置１００３を通じた音声出力によって行われてもよい。
【０２４３】
一方、モビリティ１３が目的地へ到着していない場合（Ｓ２１；ＮＯ）、制御部１３９は、移動所要時間の再計算を行うか否かを、所要時間推定部１３９３によって判定してよい（Ｓ２２）。例えば、周期的、又は、非周期的なイベント発生（便宜的に「イベントトリガ」と称することがある）によって、移動所要時間の再計算を行うと判定されてよい。
【０２４４】
イベントトリガは、例えば、モビリティ１３の目的地への移動中において、混雑予想エリア及びその時間帯に変化が生じた否かを監視（又は確認）するために用いられる。イベントトリガの非限定的な一例としては、所定の監視周期の到来、フライト情報１１６１の変更、及び／又は、目的地の変更が挙げられる。
【０２４５】
監視周期は、例示的に、数分等の分単位に設定されてよい。監視周期を短く設定するほど、混雑予想エリア及びその時間帯の変化に迅速に追従した再計算が可能になる一方で、再計算の負荷が高まるため、両者はトレードオフの関係にある。監視周期は、このようなトレードオフを考慮して最適化されてよい。
【０２４６】
また、フライト情報１１６１が変更される例としては、例えば、天候等を理由とした出発時刻の変更（例えば、遅延）、及び、搭乗ゲートの変更が挙げられる。搭乗ゲートの変更によって、モビリティ１３の目的地が変更され得る。目的地が変更された場合、例えば、所要時間推定部１３９３は、現在位置から変更後の目的地（例えば、搭乗ゲート）までの移動所要時間を再計算すると判定する。
【０２４７】
フライト情報１１６１が変更された否かは、例えば、管理サーバ１１から通知されてよい。例えば、フライト情報１１６１の変更によって管理サーバ１１から混雑予想エリア及びその時間帯に関する新たな推定結果が通信部１３４を通じて受信されたことをもって、再計算を肯定する判定がなされてよい。
【０２４８】
移動所要時間の再計算が肯定判定された場合（Ｓ２２；ＹＥＳ）、制御部１３９は、例えば既述の処理Ｓ１２以降の処理を再実行する。移動所要時間の再計算が否定判定された場合（Ｓ２２；ＮＯ）、制御部１３９は、例えば既述の処理Ｓ２０以降の処理を再実行する。
【０２４９】
以上のように、上述した動作例によれば、フライト情報と、フライトに関連付けられた搭乗ゲートに関する情報と、を基に、搭乗ゲート周辺において未来に生じ得る混雑及び時間を推定がされる。
【０２５０】
そして、推定結果を基に、モビリティユーザが混雑予想エリア及び時間帯を避けて搭乗ゲートへ到達可能な、現在位置を出発すべき時刻に関する情報が算出されてモビリティユーザに提示される。したがって、モビリティユーザの搭乗ゲートへのスムーズな移動に資する。
【０２５１】
例えば、「前倒し補正」（又は「後倒し補正」）された現在位置からの出発時刻がモビリティユーザに提示される。これにより、空港施設内のように目的地への迂回又は代替の経路が選べないような場合であっても、モビリティユーザが移動途中に混雑に巻き込まれずに目的地へスムーズに到着できる確率を高めることができる。
【０２５２】
また、スケジュールされた未来のフライトに関連して生じ得る混雑及び時間の推定結果がモビリティユーザに提示されるため、モビリティユーザが搭乗ゲートへ移動を開始した後に、目的の搭乗ゲートへの経路の移動途中に混雑に巻き込まれる可能性を低減できる。
【０２５３】
なお、モビリティ１３において実行される処理の一部又は全部は、管理サーバ１１において実行されてもよい。例えば、図１２に示した処理Ｓ１２〜Ｓ１８の一部又は全部は、管理サーバ１１において実行されてもよい。別言すると、図３に例示した経路探索部１３９１、現在位置検出部１３９２、及び、所要時間推定部１３９３の一部又は全部は、管理サーバ１１（例えば、制御部１１９；図５参照）に備えられてもよい。
【０２５４】
管理サーバ１１において実行された処理の結果が、管理サーバ１１からモビリティ１３宛に送信されてよい。モビリティ１３は、管理サーバ１１から受信した処理結果を基に、制御部１３９（例えば、表示制御部１３９６）によって、表示部１３３の表示を制御してよい。
【０２５５】
（管理サーバの動作例）
次に、管理サーバ１１の動作の一例について図１４のフローチャートを参照して説明する。図１４に例示するように、管理サーバ１１は、例えば図１２の処理Ｓ１１においてモビリティ１３が送信した目的地を示す情報及び現在位置を示す情報を通信部１１４において受信する（Ｓ３１）。なお、管理サーバ１１において、例えば、ＧＰＳ及び／又はビーコン信号を用いてモビリティ１３の現在位置が管理されている場合、モビリティ１３の現在位置を示す情報は、通信部１１４において受信されなくてもよい。
【０２５６】
目的地を示す情報が通信部１１４において受信された場合、管理サーバ１１は、例えば、制御部１１９の混雑状況推定部１１９２によって、空港施設（例えば、旅客ターミナル）内の未来の混雑状況を推定する（Ｓ３２）。
【０２５７】
例えば、混雑状況推定部１１９２は、フライト情報１１６１と搭乗ゲート情報と、を基に、混雑予想エリア及びその時間帯を推定する。混雑予想エリア及びその時間帯は、例えば、フライト毎（別言すると、搭乗ゲート毎）の予約人数、フライト毎のチェックイン人数、及び、チェックイン完了後に目的の搭乗ゲートへ徒歩で移動した場合の平均的な移動速度の情報を基に、推定されてもよい。
【０２５８】
搭乗ゲート毎のフライトの予約状況、及び、フライト毎のチェックイン完了状況は、例えば、図６に例示したフライト情報１１６１、及び、図７に例示したフライト予約情報１１６２を基に特定できる。
【０２５９】
人の徒歩による平均的な移動速度を所定値と扱うことで、混雑状況推定部１１９２は、フライト情報１１６１及びフライト予約情報１１６２に基づいて、空港施設内において混雑が予想されるエリア及びその時間帯を推定できる。
【０２６０】
なお、混雑が予想されるエリアの混雑度は、例えば、区分エリアにおける単位面積あたりの人数によって表されてもよいし、単位面積あたりの人数を０〜１００％のパーセンテージに変換した数値、あるいは、パーセンテージを段階的に区分したレベル（混雑レベル）によって表されてもよい。なお、「レベル」は、「度合（degree）」に読み替えられてもよい。
【０２６１】
非限定的な一例として、０％以上かつ３０％未満のレンジを「混雑レベル１」、３０％以上かつ７０％未満のレンジを「混雑レベル２」、７０％以上かつ１００％以下のレンジを「混雑レベル３」に対応付けてよい。混雑レベルの対応付けは、本例（３段階）に限られず、２段階でもよいし、４段階以上でもよい。また、混雑レベルは、単位面積あたりの人数に対する、モビリティ１３が通り抜けられるスペースの残存度を基準にして決定されてもよい。
【０２６２】
混雑状況推定部１１９２は、推定結果である混雑予想エリア及びその時間帯を示す情報を、例えば通信部１１４を通じて、目的地を示す情報の送信元モビリティ１３宛に送信する（Ｓ３３）。
【０２６３】
推定結果の送信後、混雑状況推定部１１９２は、混雑予想エリア及びその時間帯を再推定（又は、再計算）するか否かを判定する（Ｓ３４）。
【０２６４】
例えば、混雑状況推定部１１９２は、周期的、又は、非周期的なイベント発生（例えば既述のイベントトリガ）によって、混雑予想エリア及びその時間帯の再計算を行うと判定してよい。
【０２６５】
混雑予想エリア及びその時間帯の再計算を行うと判定した場合（Ｓ３４；ＹＥＳ）、混雑状況推定部１１９２は、処理Ｓ３２以降の処理を再実行する。混雑予想エリア及びその時間帯の再計算を行わなくてよいと判定した場合（Ｓ３４；ＮＯ）、混雑状況推定部１１９２は、処理を終了してよい。
【０２６６】
なお、混雑予想エリア及びその時間帯は、例えば、フライト情報及びフライト情報に関連付けられた搭乗ゲート等の場所に関する情報に加えて、過去の推定結果の蓄積（ログ）を基にして推定されてもよい。過去の推定結果を併用することで、例えば、搭乗ゲート付近に生じ得る混雑及び時間帯の推定精度を高めることができる。
【０２６７】
また、管理サーバ１１において実行される処理の一部又は全部は、モビリティ１３において実行されてもよい。例えば、混雑予想エリア及びその時間帯の推定処理Ｓ３２は、モビリティ１３において実行されてもよい。別言すると、図５に例示した混雑状況推定部１１９３は、モビリティ１３（制御部１３９；図３参照）に備えられてもよい。
【０２６８】
（モビリティ動作のオプション１；店舗等の空港内施設の情報提示）
次に、モビリティ１３の動作例に関するオプション１（空港内施設の情報提示）の一例について、図１５のフローチャートを参照して説明する。図１５のフローチャートは、例えば、図１２の処理Ｓ１９において実行されてよい。
【０２６９】
図１５に例示するように、モビリティ１３は、例えば、図１２の処理Ｓ１８において算出した移動所要時間を基に、モビリティ１３が目的地へ到着すべき時刻に対して到着予定時刻に所定時間以上の余裕が有るか否かを判定する（Ｓ１９１）。この判定は、例えば制御部１３９の所要時間推定部１３９３において行われてよい。所定時間（別言すると、閾値時間）は、非限定的な一例として、数分から数十分の範囲において設定されてよい。閾値時間は、静的に設定されてもよいし、動的に設定されてもよい。
【０２７０】
余裕有りと判定された場合（Ｓ１９１；ＹＥＳ）、制御部１３９は、例えば、入力部１３２（又は、通信部１３４）を通じて、モビリティユーザによって条件が入力（又は、指定）されたか否かを判定する（Ｓ１９２）。通信部１３４を通じた条件の入力は、例えば、モビリティ１３とモビリティユーザのＵＥとの通信を介した入力である。「条件」は、「ルール」、「ポリシー」、又は「優先度」に読み替えられてもよい。
【０２７１】
ここで、「条件」の非限定的な一例は、モビリティユーザが、目的地（例えば、搭乗ゲート）へ到着すべき時刻までに時間的な余裕がある場合に、立ち寄りを希望する空港内施設（例えば、ラウンジ、レストラン、カフェ、又は、お土産店等）に関する条件である。
【０２７２】
「条件」の入力が有れば（Ｓ１９２；ＹＥＳ）、例えば、制御部１３９は、探索された経路において目的地への到着予定時刻までに立ち寄り可能な空港内施設の情報を、施設関連情報１１６１（例えば図９参照）に基づいて取得する（Ｓ１９３）。この取得処理は、例えば、施設関連情報管理部１３４４によって行われてよい。
【０２７３】
取得した空港内施設の情報は、例えば、表示制御部１３９６によって、モビリティ１３の表示部１３３に表示される（Ｓ１９５）。なお、モビリティユーザによる「条件」の入力が無ければ（Ｓ１９２；ＮＯ）、例えば、表示制御部１３９６は、Ｓ１９５の表示処理において、図１２の処理Ｓ１９での表示を維持する制御を行ってよい。
【０２７４】
モビリティユーザによる「条件」の入力がない場合（Ｓ１９２；ＮＯ）、制御部１３９は、探索された経路において目的地への到着予定時刻までに立ち寄り可能なお勧めの空港内施設の情報を取得して（Ｓ１９４）、表示部１３３に表示してもよい（Ｓ１９５）。
【０２７５】
モビリティユーザにお勧めする空港内施設（例えば、ラウンジ、レストラン、カフェ、又は、お土産店等）の情報は、例えば、モビリティ１３と管理サーバ１１との通信によって取得されてよい。
【０２７６】
なお、判定処理Ｓ１９１において、モビリティ１３が目的地へ到着すべき時刻に対して到着予定時刻に余裕が無いと判定された場合（ＮＯ）、制御部１３９は、例えばアラート処理部１３９８によってアラート処理を実行してよい（Ｓ１９６）。アラート処理の一例については、図１９にて後述する。
【０２７７】
（モビリティ動作のオプション２；課金関連処理）
次に、モビリティ１３の動作例に関するオプション２（課金関連処理）の一例について、図１６のフローチャートを参照して説明する。図１６のフローチャートは、例えば図１２のＳ２０において説明した移動制御に関する処理において実行されてよい。
【０２７８】
例えば、モビリティ１３は、表示部１３３に表示した空港内施設の情報に対応する区分エリアに、モビリティ１３が進入したか否かを判定してよい（Ｓ２０１）。この判定は、例えば、制御部１３９の現在位置検出部１３９２において行われてよい。
【０２７９】
例えば、現在位置検出部１３９２は、モビリティ１３の現在位置の検出結果と、エリア／施設関連情報１１６６と、に基づいて、表示部１３３に表示した空港内施設の情報に対応する区分エリアにモビリティ１３が進入したか否かを判定してよい。
【０２８０】
なお、上記判定に用いるエリア／施設関連情報１１６６は、例えば、モビリティ１３と管理サーバ１１との通信によってモビリティ１３に提供されてよい。
【０２８１】
判定結果が肯定的な結果であった場合（Ｓ２０１；ＹＥＳ）、例えば、現在位置検出部１３９２は、駆動制御部１１９６を制御して、モビリティ１３の移動速度を低下させる、又は、モビリティ１３を一時的に停止させてよい（Ｓ２０２）。
【０２８２】
これにより、モビリティ１３が、モビリティユーザの立ち寄りたい空港内施設、あるいは、モビリティユーザにお勧めの空港内施設が位置する区分エリアに到達した場合に、モビリティ１３は、自律的に移動速度を低下する、あるいは一時的に停止する。
【０２８３】
したがって、モビリティユーザの立ち寄りたい空港内施設、あるいは、モビリティユーザにお勧めの空港内施設を、モビリティユーザの意図に反して、モビリティ１３が自動運転によって通り過ぎてしまう確率を低減できる。
【０２８４】
モビリティ１３は、処理Ｓ２０２の移動制御の後、あるいは、移動制御と並行して、表示部１３３に表示した空港内施設の情報に対応する区分エリアにモビリティ１３が進入したことを、通信部１３４を通じて管理サーバ１１に通知してよい（Ｓ２０３）。
【０２８５】
この通知には、以下に例示する情報の少なくとも１つが含められてよい。
・モビリティ１３が進入した区分エリアのＩＤ
・モビリティ１３の現在位置
・モビリティ１３が進入した区分エリアに配置された空港内施設のうち、表示部１３３に情報（例えば、広告情報及び／又は特典情報）を表示した空港内施設のＩＤ
【０２８６】
以上の情報は、管理サーバ１１において、モビリティユーザが進入又は来訪したエリアの特定（又は識別）に用いられる情報であるため、便宜的に、「進入エリア特定情報」又は「来訪エリア特定情報」と総称されてよい。
【０２８７】
管理サーバ１１は、「進入エリア特定情報」の通知をモビリティ１３から受けることで、例えば、モビリティユーザに対して広告情報が提示された、レストラン、カフェ、又はお土産店等の店舗を特定（又は識別）できる。
【０２８８】
したがって、管理サーバ１１は、例えば、特定した店舗に関する広告情報の広告主に対して、モビリティユーザの店舗への来訪の有無、又は、来訪数に応じた適切な課金処理を、例えば課金処理部１１９７によって行うことが可能である。
【０２８９】
（サーバ動作のオプション１；課金関連処理）
管理サーバ１１の動作例に関するオプション１（課金関連処理）の一例について、図１７のフローチャートを参照して説明する。
【０２９０】
図１７に例示するように、管理サーバ１１は、例えば、制御部１１９の課金処理部１１９７において、モビリティ１３から進入エリア特定情報が通信部１１４を通じて受信されたか否かを監視する（Ｓ４１）。
【０２９１】
モビリティ１３から進入エリア特定情報が受信されない間（Ｓ４１；ＮＯ）、課金処理部１１９７は、進入エリア特定情報の受信監視を継続する。
【０２９２】
モビリティ１３から進入エリア特定情報が受信された場合（Ｓ４１；ＹＥＳ）、課金処理部１１９７は、例えば、受信した進入エリア特定情報と、エリア／施設関連情報１１６６と、を基に、課金処理を行う（Ｓ４２）。
【０２９３】
例えば、課金処理部１１９７は、受信した進入エリア特定情報を基に、図９に例示したエリア／施設関連情報１１６６を参照して、「広告」又は「特典」に関する課金先情報を特定する。そして、課金処理部１１９７は、例えば、特定した課金先情報が示す決済方法によって課金処理を行う。
【０２９４】
なお、課金処理部１１９７は、例えば、受信した進入エリア特定情報と、マップ情報１１６５と、を基に、モビリティ１３毎の移動経路の履歴を、記憶部１１６において移動ログとして記録してもよい。
【０２９５】
課金処理部１１９７は、移動ログに基づいて、例えば、半月、月単位、半年、又は年単位といったまとまった期間において、特定の課金先に対する課金処理をまとめて行ってもよい。また、移動ログは、例えば、統計処理等されて、将来の「広告」及び「特典」に関する戦略に用いられてもよい。
【０２９６】
（モビリティ動作のオプション３；時刻補正に用いる速度設定処理）
次に、モビリティ１３の動作例に関するオプション３（時刻補正に用いる速度設定処理）の一例について、図１８のフローチャートを参照して説明する。図１８のフローチャートは、例えば、図１２の時刻補正処理Ｓ１７において実行されてよい。
【０２９７】
図１８に示すように、モビリティ１３は、例えば、所要時間推定部１３９３において、混雑予想エリアの混雑レベルに応じて、移動所要時間の算出に用いる、モビリティ１３の移動速度に関する設定を変更してよい。
【０２９８】
例えば、所要時間推定部１３９３は、混雑予想エリアの混雑レベルが「１」、「２」及び「３」のいずれであるかを判定する（Ｓ１７１）。なお、混雑レベルの判定には、例えば、図１２の判定処理Ｓ１６において説明したように、管理サーバ１１から受信される、混雑状況推定部１１９２の推定結果が用いられてよい。
【０２９９】
判定の結果、混雑レベルが「１」であった場合、所要時間推定部１３９３は、例えば、移動所要時間の算出に用いる、モビリティ１３の移動速度を、通常速度（例えば、時速４ｋｍ程度）に設定する（Ｓ１７２及びＳ１７５）。
【０３００】
一方、混雑レベルが「２」であった場合、所要時間推定部１３９３は、例えば、移動所要時間の算出に用いる、モビリティ１３の移動速度を、通常速度よりも低い速度（例えば、通常速度の５０％（時速２ｋｍ）等）に設定する（Ｓ１７３及びＳ１７５）。
【０３０１】
また、混雑レベルが「３」であった場合、所要時間推定部１３９３は、例えば、モビリティ１３の移動が不可能又は困難であると判断して、モビリティ１３の移動速度を、例えば一時停止状態である時速０ｋｍに設定する（Ｓ１７４及びＳ１７５）。
【０３０２】
（モビリティ動作のオプション４；アラート処理）
次に、モビリティ１３の動作例に関するオプション４（アラート処理）の一例について、図１９のフローチャートを参照して説明する。図１９のフローチャートは、例えば、図１５のアラート処理１９６において実行されてよい。
【０３０３】
図１９に示すように、モビリティ１３は、例えば制御部１３９のアラート処理部１３９３によって、アラート情報を生成し、生成したアラート情報を、通信部１３４を通じて管理サーバ１１宛に送信（又は通知）する（Ｓ１９６１）。
【０３０４】
アラート情報には、例示的に、モビリティ１３のＩＤ、現在位置、目的地、及び、目的地への到着予定時刻を示す情報が含められてよい。なお、モビリティ１３の目的地、及び、目的地への到着予定時刻の一方又は双方は、オプションであってもよい。
【０３０５】
また、アラート処理部１３９８は、例えば、モビリティ１３に搭載の報知器によって、モビリティ１３の周囲にアラート状態であることを知らせる信号を出力（例えば、報知）してよい（Ｓ１９６２）。
【０３０６】
なお、アラート状態の報知処理Ｓ１９６２は、アラート情報の管理サーバ１１への送信処理Ｓ１９６１よりも前に行われてもよいし、送信処理Ｓ１９６１と並行して行われてもよい。また、アラート状態の報知処理Ｓ１９６２は、オプションであってもよい。あるいは、送信処理Ｓ１９６１と報知処理Ｓ１９６２とのうち送信処理Ｓ１９６１がオプションであってもよい。
【０３０７】
その後、アラート処理部１３９８は、例えば、管理サーバ１１から遠隔制御情報が受信されるか否かを監視してよい（Ｓ１９６３）。
【０３０８】
遠隔制御情報が受信されない場合（Ｓ１９６３；ＮＯ）、アラート処理部１３９８は、実線矢印で示すように、処理を終了してもよいし、代替的に、点線矢印で示すように、送信処理Ｓ１９６１又は報知処理Ｓ１９６２に処理を戻してもよい。
【０３０９】
一方、遠隔制御情報が受信された場合（Ｓ１９６３；ＹＥＳ）、アラート処理部１３９８は、例えば駆動制御部１３９７に、受信された遠隔制御情報を出力する。駆動制御部１３９７は、遠隔制御情報に従って、モビリティ１３の駆動機構を制御する（Ｓ１９６４）。これにより、アラート状態にあるモビリティ１３は、管理サーバ１１からの遠隔制御によって、目的地への移動が制御される。
【０３１０】
（サーバ動作のオプション２；アラート処理）
管理サーバ１１の動作例に関するオプション２（アラート処理）の一例として、モビリティ１３のアラート処理に対応した、管理サーバ１１の動作の一例を、図２０のフローチャートに示す。
【０３１１】
図２０に示すように、管理サーバ１１は、例えば、アラート処理部１１９３において、モビリティ１３からアラート情報が受信されるか否かを監視してよい（Ｓ５１）。アラート情報が受信されない間（Ｓ５１；ＮＯ）、アラート処理部１１９３は、アラート情報の受信監視を継続してよい。
【０３１２】
一方、アラート情報が受信された場合（Ｓ５１；ＹＥＳ）、アラート処理部１１９３は、例えば、受信したアラート情報を基に、アラート状態のモビリティ１３、及び、その現在位置を特定する（Ｓ５２）。
【０３１３】
特定した情報を、アラート処理部１１９３は、例えば、空港スタッフ等のサポート人員に、通報してよい（Ｓ５３）。通報を受けたサポート人員は、例えば、アラート状態にあるモビリティ１３を目的地まで優先的に誘導する等のサポートを迅速に行うことができる。
【０３１４】
なお、管理サーバ１１からサポート人員への通報は、例えば、サポート人員が所持する無線機に対して行われてよい。また、通報先は、アラート状態にあるモビリティ１３の現在位置に近い場所に位置するサポート人員でもよいし、モビリティ１３の目的地がアラート情報から特定可能な場合には、モビリティ１３の目的地に近い場所に位置するサポート人員でもよい。例えば、モビリティ１３の目的地が搭乗ゲートである場合、搭乗ゲートに配置された空港スタッフが通報先に設定されてもよい。
【０３１５】
この場合、搭乗ゲートへの到着が遅れそうなモビリティユーザの存在を空港スタッフが速やかに確知して、モビリティ１３を優先的に目的地である搭乗ゲートへ誘導する対応を採ることができる。
【０３１６】
なお、処理Ｓ５３において、上述した通報処理の代替で、あるいは追加で、管理サーバ１１は、例えば遠隔制御部１１９４によって、アラート状態にあるモビリティ１３の移動を遠隔制御してもよい。
【０３１７】
例えば、遠隔制御部１１９４は、モビリティ１３を遠隔制御によって目的地へ移動させるための遠隔制御情報を、通信部１１４を通じて、モビリティ１３宛に送信してよい（Ｓ５３）。遠隔制御によって、モビリティ１３のサポート人員の負担軽減が可能である。
【０３１８】
（複数経路候補）
なお、上述した実施形態においては、経路探索部１３９１によって、モビリティ１３の現在位置から目的地までの最短経路が１つ探索される例について説明した。
【０３１９】
旅客ターミナルの出発ゲートフロアでは、屋外の道路の経路探索とは異なり、現在地から搭乗ゲート等の目的地までの経路選択の自由度が低い（場合によっては、１つの経路しか選択できない）ため、最短経路の探索で足りるケースが多いと云える。
【０３２０】
しかし、現在地から搭乗ゲート等の目的地までの移動経路の選択肢が複数存在する場合には、経路探索部１３９１において、複数の経路候補が探索されてよい。複数の経路候補が探索された場合、例えば図１２の処理Ｓ１４〜Ｓ１９のそれぞれが、複数の経路候補の別に実行されてよい。
【０３２１】
複数の経路候補のうち、条件（あるいは、ルール、ポリシー又は優先度）に合致する経路候補が所要時間推定部１３９３において１つ以上選択されてよい。例えば、移動所要時間が短い経路、目的地への到着予定時刻が早い経路、又は、モビリティユーザの疲労度の低い経路が優先的に選択されてよい。
【０３２２】
「疲労度」を示す情報（又は指標）は、例えば、所要時間推定部１３９３において、混雑予想エリアの混雑度を示す情報を基に、算出（又は推定）されてよい。例えば、混雑予想エリアを通過する経路に沿ってモビリティ１３が移動すると仮定した場合の、移動所要時間、目的地への到着予定時刻、及び／又は、混雑予想エリアの混雑レベルを数値化して点数加算することで、「疲労度」を示す情報が算出されてよい。
【０３２３】
条件が指定又は設定されている場合、条件に合致する経路候補であれば、他の経路候補よりも経路長の長い経路候補が、例えばモビリティ１３の所要時間推定部１３９３において選択されることもある。
【０３２４】
条件は、例えば、入力部１３２を通じてモビリティユーザによって入力（又は、指定）されてもよいし、設定情報として予め記憶部１３６に記憶されてもよい。設定情報は、例えば、モビリティ１３（例えば、記憶部１３６）に対して静的に設定された情報であってもよいし、モビリティ１３と管理サーバ１１との通信によって、管理サーバ１１から動的に設定される情報であってもよい。
【０３２５】
条件の非限定的な一例は、目的地へ到着すべき時刻に対して到着予定時刻に余裕がある場合に、モビリティユーザが立ち寄りたい空港内施設（例えば、ラウンジ、レストラン、カフェ、又は、お土産店等）に関する条件である。
【０３２６】
また、条件の非限定的な他の一例は、目的地へ到着すべき時刻に対して到着予定時刻に余裕がある場合に、モビリティユーザにお勧めしたい（別言すると、優先的に経由してもらいたい）経路に関する条件である。
【０３２７】
例えば、モビリティユーザにお勧めする空港内施設（例えば、ラウンジ、レストラン、カフェ、又は、お土産店等）が有れば、そのような空港内施設を経由する経路候補がモビリティ１３の移動経路に優先的に選択される条件が設定されてよい。
【０３２８】
このような条件設定は、モビリティユーザにお勧めする空港内施設に関する広告情報及び／又は特典情報と関連付けられてもよい。例えば、モビリティ１３の表示部１３３に、条件に合致する移動経路を表示する場合に、その移動経路における空港内施設の広告情報及び／又は特典情報が併せて表示されてよい。
【０３２９】
広告情報及び／又は特典情報に対応する空港施設のエリアへのモビリティ１３の進入が、例えば、管理サーバ１１において、モビリティ１３の現在位置を基にして確認された場合に、広告情報及び／又は特典情報の提供元に対して課金処理が実行されてよい。
【０３３０】
なお、複数の経路候補の中からの経路の選択は、モビリティユーザの指示によって行われてもよい。例えば、表示制御部１３９６によって、複数の経路候補を表示部１３３に表示させ、何れか１つ以上の経路候補に対するモビリティユーザの選択操作を受け付けることで、複数の経路候補の中から１つ以上の経路が選択されてよい。
【０３３１】
複数の経路候補を表示部１３３に表示させる場合、表示制御部１３９６は、例えば、移動所要時間、目的地への到着予定時刻、及び／又は、モビリティユーザの疲労度といった情報又は指標を基に、各経路候補の表示順位を制御してよい。
【０３３２】
例えば、移動所要時間が短い経路候補ほど、表示順位が高く設定されてよい。また、目的地への到着予定時刻が早い経路候補ほど、表示順位が高く設定されてよい。また、「疲労度」の低い経路候補ほど、表示順位が高く設定されてよい。
【０３３３】
なお、複数の経路候補の探索は、例えば、管理サーバ１１において行われてもよい。管理サーバ１１において複数の経路候補が探索された場合、モビリティユーザにお勧めする１つ以上の経路が、上述した条件又は指標等に基づいて選択されて、選択された経路の情報がモビリティ１３へ通信によって提供されてよい。
【０３３４】
複数のお勧め経路がモビリティ１３に提供された場合には、複数のお勧め経路がモビリティ１３の表示部１３３に表示されてよい。複数のお勧め経路の表示に関しても、上述したように表示制御部１３９６によって表示順位が制御されてよい。
【０３３５】
モビリティユーザは、例えば、複数のお勧め経路の表示画面において選択操作を行うことで、好みのお勧め経路をモビリティ１３による移動経路に決定してよい。
【０３３６】
なお、経路候補は、例えば、周期的、又は、非周期的なイベント発生（イベントトリガ）によって、再探索されてもよい。例えば、数分等の分単位に設定された周期の到来、及び／又は、フライト情報１１６１の変更に応じて、経路候補の再探索が行われてよい。
【０３３７】
再探索の周期を短く設定するほど、混雑予想エリア及びその時間帯の変化に迅速に追従した再計算が可能になる一方で、再計算の負荷が高まるため、両者はトレードオフの関係にある。再探索の周期は、このようなトレードオフを考慮して最適化されてよい。
【０３３８】
フライト情報１１６１が変更される例については、既述のとおりである。なお、経路候補を再探索する周期と、混雑予想エリア及びその時間帯の推定周期と、は、同じ周期に設定されてもよいし、互いに異なる周期に設定されてもよい。
【０３３９】
空港施設内においては、既述のとおり、屋外に比べて経路候補の数に限りがあるため、経路候補を再探索する頻度は、それほど高くなくてもよいと云える。そのため、例示的に、経路候補の再探索周期は、混雑予想エリア及びその時間帯の推定周期よりも短い周期に設定されてよい。
【０３４０】
＜オプションの組み合わせ＞
上述したモビリティ１３の動作例に関するオプション１〜４の一部又は全部は、矛盾の無い範囲において、実施形態に適宜に組み合わされてよい。管理サーバ１１の動作例に関するオプション１及び２の一方又は双方についても、矛盾の無い範囲において、実施形態に適宜に組み合わされてよい。
【０３４１】
＜表示画面例＞
次に、図２１及び図２２を参照して、モビリティ１３の表示部１３３における表示態様の非限定的な一例について説明する。なお、図２１及び図２２に例示する表示態様の一例は、ＵＥの表示部における表示態様の一例と捉えてもよい。
【０３４２】
表示部１３３の表示態様は、例えば、表示制御部１３９６によって制御される。また、表示部１３３の表示態様は、例えば、モビリティ１３の運転状態に応じて制御されてもよい。例えば、表示制御部１３９６は、駆動制御部１３９７による駆動ユニット１３７の制御と連動して、表示部１３３の表示態様を制御してよい。
【０３４３】
表示態様の制御には、例えば、表示画面のスクロール、スケール変更、ポップアップ表示、及び／又は、表示画面に表示される情報（文字及び／又は図形等）の拡大、縮小、色の変更、又は点滅といった表示制御が含まれてよい。
【０３４４】
図２１に示すように、表示部１３３には、経路探索部１３９１による探索経路をモビリティ１３が移動する際の移動方向を案内する矢印（以下「案内矢印」と略称することがある）１３３１が表示されてよい。
【０３４５】
案内矢印１３３１の表示態様は、例えば、モビリティ１３の運転状態に応じて変化してよい。例えば図２１において一点鎖線で示すように、モビリティ１３の探索経路に沿った移動に伴って、案内矢印１３３１の指し示す方向が変化してよい。
【０３４６】
また、例えば、モビリティ１３の移動速度に応じて、案内矢印１３３１の大きさ、及び／又は、色が変化してもよい。例えば、モビリティ１３の移動速度が速いほど、案内矢印１３３１が大きく表示されてもよいし、案内矢印１３３１の色が寒色から暖色に変化するように表示されてもよい。
【０３４７】
表示部１３３には、案内矢印１３３１の表示と並行して（あるいは、関連付けて）、所要時間推定部１３９３によって推定された時刻及び／又は時間が表示されてよい。
【０３４８】
例えば図２１には、目的地（例えば、搭乗ゲート）に所定の時刻に到着するためにモビリティ１３が現在位置を出発すべき時刻（出発時刻又は移動開始時刻）が表示されている。「移動開始時刻」は、例えば図１３にて説明した「前倒し補正」後の時刻Ｔ１であってよい。
【０３４９】
現在時刻から「移動開始時刻」までに時間が有る場合は、「移動開始時刻」に代えて、あるいは追加で、現在時刻から「移動開始時刻」までの残り時間（「待機時間」又は「猶予時間」と称してもよい）が、表示部１３３に表示されてもよい。
【０３５０】
例えば、「今から○○分以内に移動を開始して下さい。」といったメッセージが表示部１３３に表示されてよい。代替的又は追加的に、メッセージは、例えば、出力装置１００３（例えば、スピーカー）から出力されてもよい。
【０３５１】
「残り時間」は、時間経過に伴ってカウントダウン表示されてよい。「残り時間」が無くなった時点で、例えば、「移動開始時刻」の到来を知らせるアラーム表示が表示部１３３において行われてよい。代替的又は追加的に、移動開始時刻の到来を知らせるアラーム音が、出力装置１００３（例えば、スピーカー）から出力されてもよい。
【０３５２】
また、例えば図２２に示すように、表示部１３３には、案内矢印１３３１の表示と並行して、「到着予定時刻」が表示されてもよい。「到着予定時刻」は、モビリティ１３が現在位置を現在時刻において直ちに出発した場合に、目的地へ到着できる予定時刻を表す。
【０３５３】
「到着予定時刻」は、例えば、所要時間推定部１３９３において、現在時刻に、混雑予想エリア及びその時間帯の移動を避けて求められた移動所要時間を加えることで求められる。
【０３５４】
「到着予定時刻」から、目的地に到着すべき所定の時刻までに時間が有る場合は、例えば、その時間（便宜的に「余裕時間」と称されてよい）が、「到着予定時刻」の表示と並行して（あるいは、関連付けて）、表示部１３３に表示されてもよい。
【０３５５】
また、上述した時刻又は時間に関する各種の表示例の代替で、又は、追加で、管理サーバ１１において推定された混雑予想エリアの時間帯及び／又は混雑度を示す情報が、表示部１３３に表示されてもよい。混雑度を示す情報は、既述の混雑レベルによって表示されてよい。また、既述の「疲労度」が表示部１３３に表示されてもよい。
【０３５６】
混雑予想エリアの時間帯、混雑度、及び／又は、疲労度を示す情報は、例えば、表示部１３３に表示されたマップ情報（「マップ表示画面」と称してよい）において、混雑予想エリアに対応する箇所に関連付けて表示されてもよい。
【０３５７】
また、図２１及び図２２に例示した表示態様において、案内矢印１３３１は、例えば、表示部１３３のマップ表示画面に重ねて表示されてもよい。別言すると、案内矢印１３３１は、表示部１３３において、空港施設のマップ情報と関連付けて表示されてもよい。例えば、マップ表示画面においてモビリティ１３の現在位置に相当する位置に案内矢印１３３１が重ねて表示されてよい。
【０３５８】
また、モビリティ１３の移動に連動して、マップ表示画面がモビリティ１３の移動方向及び移動速度に応じてスクロールし、その移動方向及び移動速度に応じて案内矢印１３３１の向き、大きさ、及び／又は、色といった表示態様が変化してよい。
【０３５９】
また、図２１及び図２２に例示するように、表示部１３３には、探索経路周辺の立ち寄り可能な１つ以上の空港内施設（例えば、レストラン、カフェ、及び／又は、お土産店等）に関する情報が表示領域１３３２に表示されてよい。
【０３６０】
表示領域１３３２は、表示部１３３の表示領域全体の少なくとも一部でよい。図２１及び図２２に例示したように、表示領域１３３２において、空港内施設に関する情報は、探索経路を示す情報と並行して（あるいは、関連付けて）、表示されてよい。また、表示領域１３３２において、例えば、広告情報、及び／又は、特典情報が、空港内施設に関する情報と関連付けて表示されてもよい。
【０３６１】
表示領域１３３２に表示される情報は、例えば、モビリティユーザが条件指定した空港内施設の情報であってもよいし、空港施設サイドがモビリティユーザにお勧めする空港内施設の情報であってもよい。
【０３６２】
モビリティユーザは、現在位置から目的地へ到着するまでの時間に余裕が有る場合に、施設関連情報１３３２を確認することで、何れかの空港内施設への立ち寄りが容易になる。
【０３６３】
また、空港内施設に関する情報は、例えば、表示部１３３のマップ表示画面において、探索経路の表示と並行して、空港内施設の位置に対応する箇所に関連付けて表示されてもよい。
【０３６４】
このような表示態様によれば、モビリティ１３の現在位置と、探索経路において立ち寄り可能な空港内施設の位置と、の関係の視認性が向上する。したがって、モビリティユーザによる空港内施設の利用促進に資する。
【０３６５】
なお、表示領域１３３２は、例えば、モビリティユーザの表示部１３３の特定の画面領域に対する選択操作（例えば、タップ）が表示制御部１３９６において検出されることで、表示部１３３においてポップアップ表示されてもよい。
【０３６６】
例えば、上述したマップ表示画面において空港内施設に対応する領域がタップされることによって、その空港内施設に対応する詳細情報がポップアップ表示されてよい。ポップアップ表示によって、例えば、空港内施設に関する情報の視認性を、より向上できる。
【０３６７】
複数の空港内施設に関する情報が表示候補である場合、例えば、空港内施設を利用した場合の特典の有無、特典の内容、モビリティユーザの年齢、及び／又は、性別といった情報に基づいて、表示順位が制御されてよい。
【０３６８】
例えば、クーポン券又は割引券といった特典が用意されている空港内施設は、特典が用意されていない空港内施設よりも表示順位が高く設定されてよい。また、例えば、特典の内容が、モビリティユーザの年齢、及び／又は、性別に見合う空港内施設ほど、他の空港内施設よりも表示順位が高く設定されてよい。
【０３６９】
モビリティユーザの年齢、及び／又は、性別といった個人情報は、例えば、モビリティユーザによって、入力部１３２を通じてマニュアル入力されてよい。あるいは、例えば、目的地の情報入力と同様に、通信部１３４を通じたＵＥとモビリティ１３との通信によって個人情報がモビリティ１３に入力されてもよい。また、例えば、出国審査においてモビリティユーザが提示したパスポート情報を基に、モビリティユーザの個人情報が、通信部１３４を通じた管理サーバ１１とモビリティ１３との通信によってモビリティ１３に入力されてもよい。
【０３７０】
＜実施形態において得られる効果の一例＞
以上のように、上述した実施形態によれば、フライト情報と、フライトに関連付けられた搭乗ゲートに関する情報と、を基に、搭乗ゲート周辺において未来に生じ得る混雑及び時間を推定し、推定結果を、例えば、モビリティユーザに提示する。
【０３７１】
これにより、モビリティユーザは、例えば、搭乗予定のフライト時刻までの待ち時間において、搭乗ゲート周辺において混雑が予想されるエリア及び時間帯を避けて空港施設内を行動できる。したがって、例えば、モビリティユーザがフライトの出発時刻までの待ち時間に採り得る行動の選択肢を広げることができる。
【０３７２】
また、スケジュールされた未来のフライトに関連して生じ得る混雑及び時間の推定結果がモビリティユーザに提示されるため、モビリティユーザが搭乗ゲートへ移動を開始した後に、目的の搭乗ゲートへの経路の移動途中に混雑に巻き込まれる可能性を低減できる。
【０３７３】
また、例えば、上述の推定結果に基づいて、モビリティユーザが混雑予想エリア及び時間帯を避けて搭乗ゲートへ到達可能な、現在位置を出発すべき時刻に関する情報が算出されてモビリティユーザに提示される。したがって、モビリティユーザの搭乗ゲートへのスムーズな移動に資する。
【０３７４】
例えば、「前倒し補正」又は「後倒し補正」された現在位置からの出発時刻がモビリティユーザに提示されるため、迂回又は代替の経路が選べないような場合において、モビリティユーザが混雑に巻き込まれずに目的の搭乗ゲートへスムーズに到着できる確率を高めることができる。
【０３７５】
モビリティユーザの搭乗ゲートへのスムーズな移動が可能であることによって、例えば、空港スタッフのモビリティユーザに対するサポート業務の負担を軽減できる。
【０３７６】
また、例えば、現在位置からの出発時刻の補正によってフライトまでの待ち時間に余裕できる場合、経路の移動途中において混雑を避けて立ち寄り可能な空港内施設に関する情報がモビリティユーザに提示される。例えば、モビリティユーザは、搭乗ゲートへの経路の移動途中に、提示された空港内施設に立ち寄って時間をつぶす（別言すると、時間を有効利用する）こともできる。
【０３７７】
このような、フライト情報を用いた混雑及び時間帯の推定結果に基づいた情報の提示によって、モビリティユーザの空港施設における行動の選択肢を広げることができる。
【０３７８】
別言すると、モビリティ１３の表示部１３３には、フライト情報に基づいて搭乗ゲートへモビリティ１３を使用して移動する際の移動計画に関する情報が表示される。移動計画に関する情報は、モビリティユーザが目的地への移動に際して採り得る行動に関する提案情報と捉えてもよい。
【０３７９】
移動計画に関する情報には、例示的に、時刻及び／又は時間に関する情報と、地理的な情報と、が含まれてよい。これらの情報の一方が他方に関連付けられてもよい。地理的な情報には、現在地を示す情報、目的地を示す情報、現在地から目的地に至る経路に関する情報、並びに、経路周辺に位置する施設（及び／又は、場所）に関する情報のうちのいずれか１つ以上が含まれてよい。
【０３８０】
移動計画に関する情報がモビリティ１３に提示されることで、モビリティユーザの行動選択肢を広げることができる。そのため、例えば、モビリティユーザに、空港利用（例えば、モビリティ１３を使用した空港施設内の移動）の楽しさ、及び／又は、待ち時間を有効に利用できること等による安心感を提供できる。
【０３８１】
よって、空港施設におけるモビリティ１３の使用に対する付加価値を高めることができる。また、モビリティ１３の使用に対する付加価値が高まることで、空港のイメージ向上に資する。
【０３８２】
＜その他＞
なお、徒歩で空港施設内を移動する空港利用者の所持するＵＥが、「移動体」に該当してもよい。例えば、徒歩での移動速度をＵＥの移動速度と扱って、上述した実施形態に係る「モビリティナビ」がＵＥに提供されてもよい。
【０３８３】
また、テーマパーク、展示場、博物館、映画館、又は、コンサート会場といった、未来に発生する１つ以上のイベントがスケジュールされた施設又は会場において、上述した実施形態に係る「モビリティナビ」が提供されてもよい。
【０３８４】
以上の実施形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０３８５】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）、又は、ＬＳＩ内部の回路セルの接続や設定を再構成可能なリコンフィギュラブル・プロセッサーを利用してもよい。
【０３８６】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【産業上の利用可能性】
【０３８７】
本開示は、例えば、電動車椅子のような移動体を使用した移動のナビゲーションに好適である。
【符号の説明】
【０３８８】
Ｇ１０１〜Ｇ１１７  搭乗ゲート
１  ナビゲーションシステム
１１  管理サーバ
１３  モビリティ
１５  アクセスポイント（ＡＰ）
１７  ネットワーク
１９  決済サーバ
１１２  入力部
１１３  表示部
１１４  通信部
１１６  記憶部
１１９  制御部
１３１  操作部
１３２  入力部
１３３  表示部（ディスプレイ）
１３４  通信部
１３５  センサ
１３６  記憶部
１３７  駆動ユニット
１３８  バッテリ
１３９  制御部
１００１  プロセッサ
１００２  入力装置
１００３  出力装置
１００４  メモリ
１００５  ストレージ
１００６  通信インタフェース（ＩＦ）
１００７  センサ
１００８  駆動ユニット
１００９  電源回路
１０１０  バス
１１６１  フライト情報
１１６２  フライト予約情報
１１６３  モビリティ属性情報
１１６４  モビリティ位置情報
１１６５  マップ情報
１１６６  エリア／施設関連情報
１１９１  モビリティ管理部
１１９２  混雑状況推定部
１１９３  アラート処理部
１１９４  遠隔制御部
１１９５  通信制御部
１１９６  表示制御部
１１９７  課金（決済）処理部
１３３１  矢印
１３３２  表示領域
１３９１  経路探索部
１３９２  現在位置検出部
１３９３  所要時間推定部
１３９４  施設関連情報管理部
１３９５  通信制御部
１３９６  表示制御部
１３９７  駆動制御部
１３９８  アラート処理部
２００１  プロセッサ
２００２  入力装置
２００３  出力装置
２００４  メモリ
２００５  ストレージ
２００６  通信インタフェース（ＩＦ）
２００９  電源回路
２０１０  バス
【図１】
2019144168.tif 000003
【図２】
2019144168.tif 000004
【図３】
2019144168.tif 000005
【図４】
2019144168.tif 000006
【図５】
2019144168.tif 000007
【図６】
2019144168.tif 000008
【図７】
2019144168.tif 000009
【図８】
2019144168.tif 000010
【図９】
2019144168.tif 000011
【図１０】
2019144168.tif 000012
【図１１】
2019144168.tif 000013
【図１２】
2019144168.tif 000014
【図１３】
2019144168.tif 000015
【図１４】
2019144168.tif 000016
【図１５】
2019144168.tif 000017
【図１６】
2019144168.tif 000018
【図１７】
2019144168.tif 000019
【図１８】
2019144168.tif 000020
【図１９】
2019144168.tif 000021
【図２０】
2019144168.tif 000022
【図２１】
2019144168.tif 000023
【図２２】
2019144168.tif 000024